(57)【要約】  自動排出イオントラップを用いた質量分析器における、気相反応の改善された効率及び精密制御。第１のイオンを、荷電粒子及び／若しくは中性粒子と衝突若しくは反応させ、又はそうでなければ解離させて第２のイオンを形成するように配置され構成された第１の装置を含む、質量分析器のための衝突又は反応装置が開示されている。衝突又は反応装置はさらに、第１の装置に対し、１又は複数の周波数ノッチ４を有する広帯域励起３を適用して、第１のイオンが第１の装置から実質的に排出されることなく第２のイオン及び／又は第２のイオンから誘導されたイオンを第１の装置から実質的に排出させるように配置及び構成された第２の装置を含む。【選択図】図２Ａ
2016507151.tif 000002
【特許請求の範囲】
【請求項１】
質量分析器のための衝突又は反応装置であって、
第１のイオンを、荷電粒子及び／若しくは中性粒子と衝突若しくは反応させ、又はそうでなければ解離させて第２のイオンを形成するように配置され構成された第１の装置と、
前記第１の装置に対し、１又は複数の周波数ノッチを有する広帯域励起を適用して、前記第１のイオンが前記第１の装置から実質的に排出されることなく前記第２のイオン及び／又は前記第２のイオンから誘導されたイオンを前記第１の装置から実質的に排出させるように配置及び構成された第２の装置
を含む前記衝突又は反応装置。
【請求項２】
前記荷電粒子がイオンを含む、請求項１記載の衝突又は反応装置。
【請求項３】
前記衝突又は反応装置がイオン−イオン衝突又は反応装置を含む、請求項２記載の衝突又は反応装置。
【請求項４】
前記第１のイオンは、電子移動解離(「ETD」)により試薬イオンと相互作用させられて前記第２のイオンを形成する、請求項３記載の衝突又は反応装置。
【請求項５】
前記荷電粒子が電子を含む、請求項１記載の衝突又は反応装置。
【請求項６】
前記衝突又は反応装置が、イオン−電子衝突又は反応装置を含む、請求項５記載の衝突又は反応装置。
【請求項７】
前記衝突又は反応装置が、イオン−分子衝突又は反応装置を含む、請求項１記載の衝突又は反応装置。
【請求項８】
前記第１のイオンは、衝突誘導解離(「CID」)によりガス分子と相互作用させられ断片化されて前記第２のイオンを形成する、請求項７記載の衝突又は反応装置。
【請求項９】
前記第１のイオンは、水素−重水素交換(「HDx」)により重水素と相互作用させられて前記第２のイオンを形成する、請求項７記載の衝突又は反応装置。
【請求項１０】
前記衝突又は反応装置が、イオン−準安定性衝突又は反応装置を含む、請求項１記載の衝突又は反応装置。
【請求項１１】
前記衝突又は反応装置が、気相衝突又は反応装置を含む、請求項１〜１０のいずれか１項に記載の衝突又は反応装置。
【請求項１２】
前記衝突又は反応装置が、線形又は２Ｄイオントラップを含む、請求項１〜１１のいずれか１項に記載の衝突又は反応装置。
【請求項１３】
前記衝突又は反応装置が、４極ロッドセットイオンガイド又はイオントラップを含む、請求項１２記載の衝突又は反応装置。
【請求項１４】
前記衝突又は反応装置が、３Ｄイオントラップを含む、請求項１〜１１のいずれか１項に記載の衝突又は反応装置。
【請求項１５】
前記第１の装置の少なくとも一部を横切る、半径依存性トラッピング電位を印加する装置をさらに含む請求項１〜１４のいずれか１項に記載の衝突又は反応装置。
【請求項１６】
前記第１の装置内の１つの方向にイオンを付勢するために、前記第１の装置に軸方向に直流電圧勾配を維持するように及び／又は１若しくは複数の過渡直流電圧を印加するように配置及び構成された装置をさらに含む請求項１〜１５のいずれか１項に記載の衝突又は反応装置。
【請求項１７】
請求項１〜１６のいずれか１項に記載の衝突又は反応装置を含む質量分析器。
【請求項１８】
イオンを衝突又は反応させる方法であって、
第１の装置を準備し、第１のイオンを、荷電粒子及び／若しくは中性粒子と衝突若しくは反応させ、又はそうでなければ解離させて第２のイオンを形成し、
前記第１の装置に対し、１又は複数の周波数ノッチを有する広帯域励起を適用して、前記第１のイオンが前記第１の装置から実質的に排出されることなく前記第２のイオン及び／又は前記第２のイオンから誘導されたイオンを前記第１の装置から実質的に排出させることを含む、前記方法。
【請求項１９】
請求項１８記載のイオンの衝突又は反応方法を含む質量分析方法。
【請求項２０】
親イオンを断片化し、又は反応させて断片又は生成物イオンを形成させ、該断片又は生成物イオンの形成後直ちに、前記親イオンを自動排出させることなく該断片又は生成物イオンを前記装置から自動排出させるように配置及び構成された衝突又は反応装置。
【請求項２１】
イオンを衝突又は反応させる方法であって、
親イオンを断片化し、又は反応させて断片又は生成物イオンを形成させ、
該断片又は生成物イオンの形成後直ちに、前記親イオンを自動排出することなく該断片又は生成物イオンを前記装置から自動排出させることを含む、前記方法。
【発明の詳細な説明】
【技術分野】
【０００１】
関連出願の相互参照
本出願は２０１３年２月１８日出願の英国特許出願番号１３０２７８３．４及び２０１３年２月１８日出願の欧州特許出願番号１３１５５６３０．０からの優先権とその利益を主張する。これらの出願の全体が参照によりここに組み込まれる。
【背景技術】
【０００２】
本発明は、質量分析器のための衝突又は反応装置、質量分析器、イオンを衝突又は反応させる方法、および質量分析方法に関する。好ましい実施形態は、気相反応イオン生成物の除去を制御によって容易にする気相反応器に関する。気相反応器はイオン―イオン、イオン−電子、イオン−分子、又はイオン−準安定性反応器を含む。
【０００３】
物理的軸支障がなく、印加される電界が２つの動作モード間で切り替えができる高伝送ＲＦイオンガイドについて、ＧＢ−２４６７４６６（マイクロマス）に開示されている。第一の動作モードでは、該装置は質量範囲のイオンを前方へ伝送し、第二の動作モードでは、該装置はイオンを質量選択的に少なくとも一つの放射状方向に変位しその後一つ以上の放射状方向依存性の軸方向ＤＣ障壁を超えて軸方向に断熱的に排出する線状イオントラップとして働く。
【０００４】
質量選択的放射状方向変位は、補助的な時間的に変動する電界の周波数を、イオンガイド内のイオン群の振動の質量に依存する特徴的な周波数に近くなるように整えることで成されることはよく知られている。
【０００５】
特徴的周波数とは、イオンガイド内でのイオンの永年周波数である。装置内のイオンの永年周波数は、イオンの電荷に対する質量比の関数であり、次のＲＦオンリー四重極用の等式に近似できる（P. H. Dawson, 四重極 Mass Spectrometry and ItsApplications）。
【数１】
2016507151.tif 000003
上記において、ｍ／ｚはイオンの質量電荷比（電荷に対する質量比）であり、ｅは電子電荷であり、ＶはピークＲＦ電圧であり、Ｒ０はロッドセットの内接半径であり、ωはＲＦ電圧の角周波数である。
【０００６】
イオンの永年周波数あたりの周波数成分が欠けている四重極イオンガイドに広帯域励起が与えられることは知られている。欠けている周波数成分とは通常ノッチと呼ばれる。複数のイオンが、追加のノッチ又は欠落している周波数を印加することによってイオンガイドで単離することができる。
【０００７】
ＵＳ−７３５５１６９（ＭｃＬｕｃｋｅｙ）には、ピークパーキング（ｐｅａｋ  ｐａｒｋｉｎｇ）方法が開示されている。この方法は、全ての反応生成物がイオントラップに残ることを許し、既知の生成物のみを排出することに基づいており、特にイオン−イオン反応に特有のものである。
【０００８】
ＵＳ−５２５６８７５（Ｈｏｅｋｍａｎ）には、イオントラップに印加される最適化され、広帯域の、フィルタリングを受けたノイズ信号を発生させる方法が開示されている。一つ以上のノッチを持つ周波数―振幅の広帯域信号を発生させるため、広帯域信号はノッチフィルターでフィルタリングされる。フィルタリングを受けた異なるノイズ信号の迅速な発生を可能にするための配置が開示されている。
【０００９】
ＷＯ２０１２／０５１３９２（Ｘｉａ）の図２は、広帯域のノッチがつけられた信号が、複数の周波数ノッチを持つ線形イオントラップに印加されそれによって親イオンｍ１が単離されるようにした配置に関する図である。親イオンｍ１は、その後離散周波数成分を印加することにより断片化され断片イオンｍ２を形成する。得られた断片イオンｍ２は、ｍ２に対応する周波数ノッチを持つ広帯域のノッチがつけられた信号の効力によりイオントラップ内に保持される。
【００１０】
ＷＯ００／３３３５０（Ｄｏｕｇｌａｓ）の図１１Ｂは、５８７の質量電荷比を持つ三価荷電イオンを単離するために広帯域のノッチがつけられた波形を印加するための配置に関する図である。親イオンは断片化され図１１Ｃに示されているように断片イオンを生成する。７２６の質量電荷比を持つ優勢な断片イオンがその後図１１Ｄに示されているように、単離される。７２６の質量電荷比を持つ第一世代断片イオンは続いて断片化され、図１１Ｅに示されているように第二世代断片イオンを形成する。
【００１１】
ＧＢ−２４５５６９２（Ｍａｋａｒｏｖ）には、多重反射イオントラップを作動させる方法が開示されている。
【００１２】
ＵＳ２００９／００９０８６０（Ｆｕｒｕｈａｓｈｉ）には、ＭＳｎ分析用のイオントラップ質量分析計が開示されている。
【００１３】
ＧＢ−２４２１８４２（Ｍｉｃｒｏｍａｓｓ）には、不要なイオンの共鳴排出とともに質量分析計が開示されている。
【００１４】
ＧＢ−２４５２３５０（Ｍｉｃｒｏｍａｓｓ）には、ノッチをつけられた広帯域周波数信号のシーケンスを採用している質量フィルターが開示されている。
【００１５】
ＵＳ２０１０／０２７６５８３（Ｓｅｎｋｏ）には、多重解像度質量分析計システムとイントラ走査方法が開示されている。
【００１６】
質量分析器のための改良された衝突又は反応装置と改良されたイオンを衝突または反応させる方法の提供が望まれている。
【発明の概要】
【００１７】
本発明の一態様では、質量分析器のための衝突又は反応装置であって、
第１のイオンを、荷電粒子及び／若しくは中性粒子と衝突若しくは反応させ、又はそうでなければ解離させて第２のイオンを形成するように配置され構成された第１の装置と、
第１の装置に対し、１又は複数の周波数ノッチを有する広帯域励起を適用して、第１のイオンが第１の装置から実質的に排出されることなく第２のイオン及び／又は第２のイオンから誘導されたイオンを第１の装置から実質的に排出させるように配置及び構成された第２の装置
を含む衝突又は反応装置が提供される。
【００１８】
本発明の重要な一態様は、新しく生成された生成物イオンが形成された後それは直ちに装置から排出されるが、非断片化又は未反応の親イオンは装置から実質的に排出されない、というものである。
【００１９】
ＵＳ−５２５６８７５（Hoekman）は、装置から断片イオンを排出させるが非断片化又は未反応の親イオンは排出させない周波数ノッチを有する広帯域周波数の提供について、教示することも示唆することもしていない。
【００２０】
ＷＯ２０１２／０５１３９１（Xia)は、装置から断片イオンを排出させるが非断片化又は未反応の親イオンは排出させない周波数ノッチを有する広帯域周波数の提供について、教示することも示唆することもしていない。反対に、ＷＯ２０１２／０５１３９１（Xia）の教示するところは、断片イオンを排出するのではなくむしろ保持するように周波数ノッチｍ２を提供することである。
【００２１】
ＷＯ００／３３３５０（Douglas）は、装置から断片イオンを排出させるが非断片化又は未反応の親イオンは排出させない周波数ノッチを有する広帯域周波数の提供について、教示することも示唆することもしていない。反対に、ＷＯ００／３３３５０（Douglas）の教示するところは、目的の断片イオンを保持し、非断片化又は未反応のいずれの親イオンをも排出することである。
【００２２】
ＧＢ−２４２１８４２（Micromass）とＧＢ−２４５２３５０（Micromass）は、装置から断片イオンを排出させるが非断片化又は未反応の親イオンは排出させない周波数ノッチを有する広帯域周波数の提供について、教示することも示唆することもしていない。
【００２３】
本発明が特に有利であるのは、生成物イオン又は断片イオンが形成されるとそれらは直ちに衝突又は反応領域から効果的に除去され、それにより、生成物イオン又は断片イオンがさらなる望ましくない反応を受けること又は中性にされることを防ぐことを本発明の衝突又は反応装置は確実にするという点においてである。
【００２４】
一好適実施形態では、反応生成物イオンは、好ましくは、反応が起こると直ちに衝突又は反応装置から除去されるか又は他の方法で排出され、それにより、例えば、生成物イオンを中性にし得るさらなる反応を反応生成物イオンが受けることを防ぐ。
【００２５】
除去された反応生成物イオンは、次の分析又はさらなる反応のために分析器に移動させてもよい。分析器は、例えば、質量分析器又はイオン移動度分離器若しくは分光計を含んでもよい。反応生成物イオンは、例えば、電子移動解離（「ＥＴＤ」）又は衝突誘導解離（「ＣＩＤ」）のセルで断片化にかけてもよい。
【００２６】
一実施形態では、反応装置は、線形又は２Ｄイオントラップ若しくは代わりに３Ｄイオントラップを含んでもよい。反応生成物イオンは、好ましくは、イオントラップから別の分析分離装置へと径方向又は軸方向に移動させる。
【００２７】
一好適実施形態では、好ましい装置は、径方向依存バリアを備えた４極ロッドセットを含んでもよい。欠損周波数又は欠損ノッチを含む広帯域励起は、複数のイオンを径方向に励起させるために、好ましくは、電極に印加する。イオンは、ロッドに捉われず、軸方向に排出され、例えば、下流の質量分析器へと、先へ運ばれる。
【００２８】
一好適実施形態では、反応する種は、イオン−イオン、イオン−電子、イオン−分子、及びイオン−準安定性反応が起こるように、好ましくは、反応装置の中に一定時間保たれる。反応速度定数は非常に変動性であり得、同じ試薬と反応する異なる種に対して異なってもよい。このため、生成物イオンに対して反応の継続することが起こり得て、断片化スペクトルの不良という結果になりやすい。逆に、時間が短過ぎると、反応が進行できず、そのため親イオン又は前駆体イオンの断片化がほとんど又は全く起こらなくなる。
【００２９】
例えば、電子移動解離実験の場合では、イオン−イオン反応が調節されないまま進行することを可能にすると、一価の生成物イオンが急速に中性にされることがあり、生成物イオンが検出されなくなるということが生じるので、不利である。
【００３０】
本発明は、生成物イオンが形成されると直ちに衝突又は反応領域から効果的に除去されることを確実にすることによって上記の問題に対処する。このことは、生成物イオンがさらなる望ましくない反応を受けること又は中性にされることを防ぐ。
【００３１】
本発明はまた、分析物イオンと試薬イオン又は中性粒子との反応が、最適の方法で制御でき、高強度の生成物イオンを生成させることを確実にするという点において特に有利である。
【００３２】
本発明は、前駆体イオン又は親イオンのことが事前にほとんど又は全く知られていない、標的不明又はデータ非依存的分析（Ｄａｔａ  Ｉｎｄｅｐｅｎｄｅｎｔ  Ａｎａｌｙｓｉｓ）（「ＤＩＡ」）における具体的な問題に対処する。
【００３３】
好適実施形態では、荷電粒子はイオンを含む。
【００３４】
衝突又は反応装置は、好ましくは、イオン−イオン衝突又は反応装置を含む。
【００３５】
好ましくは、第１のイオンは、電子移動解離（「ＥＴＤ」）により試薬イオンと相互作用させられて第２のイオンを形成する。
【００３６】
比較的好適ではない実施形態では、荷電粒子は電子を含む。
【００３７】
衝突又は反応装置は、好ましくは、イオン−電子衝突又は反応装置を含む。
【００３８】
比較的好適ではない実施形態では、衝突又は反応装置はイオン−分子衝突又は反応装置を含む。
【００３９】
第１のイオンは、衝突誘導解離（「ＣＩＤ」）によりガス分子と相互作用させられ断片化されて第２のイオンを形成してもよい。
【００４０】
第１のイオンは、水素−重水素交換（「ＨＤｘ」）により重水素と相互作用させられて第２のイオンを形成してもよい。
【００４１】
衝突又は反応装置は、イオン−準安定性衝突又は反応装置を含んでもよい。
【００４２】
衝突又は反応装置は、好ましくは、気相衝突又は反応装置を含む。
【００４３】
衝突又は反応装置は、好ましくは、線形又は２Ｄイオントラップを含む。
【００４４】
衝突又は反応装置は、好ましくは、４極ロッドセットイオンガイド又はイオントラップを含む。
【００４５】
衝突又は反応装置は、好ましくは、３Ｄのイオントラップを含む。
【００４６】
衝突又は反応装置は、好ましくは、第１の装置の少なくとも一部を横切る、半径依存性トラッピング電位を印加する装置を含む。
【００４７】
好ましくは、衝突又は反応装置は、第１の装置内の１つの方向にイオンを付勢するために、第１の装置に軸方向に直流電圧勾配を維持するように及び／又は１若しくは複数の過渡直流電圧を印加するように配置及び構成された装置をさらに含む。
【００４８】
本発明の一態様では、上に記載の衝突又は反応装置を含む質量分析器が提供される。
【００４９】
本発明の一態様では、イオンを衝突又は反応させる方法であって、
第１の装置を準備し、第１のイオンを、荷電粒子及び／若しくは中性粒子と衝突若しくは反応させ、又はそうでなければ解離させて第２のイオンを形成し、
第１の装置に対し、１又は複数の周波数ノッチを有する広帯域励起を適用して、第１のイオンが第１の装置から実質的に排出されることなく第２のイオン及び／又は第２のイオンから誘導されたイオンを第１の装置から実質的に排出させることを含む、
方法が提供される。
【００５０】
本発明の一態様では、上に記載のイオンの衝突又は反応方法を含む質量分析方法が提供される。
【００５１】
好ましくは、衝突又は反応装置は、親イオンを断片化し、又は反応させて断片又は生成物イオンを形成させ、断片又は生成物イオンの形成後直ちに、親イオンを自動排出させることなく断片又は生成物イオンを装置から自動排出させるように配置及び構成される。
【００５２】
本発明の他の態様では、イオンを衝突又は反応させる方法であって、
親イオンを断片化し、又は反応させて断片又は生成物イオンを形成させ、
断片又は生成物イオンの形成後直ちに、親イオンを自動排出することなく断片又は生成物イオンを装置から自動排出させることを含む、
方法が提供される。
【００５３】
衝突若しくは反応装置又はイオントラップは、好ましくは、
第１の複数の電極を含む第１の電極セットと；
第２の複数の電極を含む第２の電極セットと；
第１の複数の電極の１若しくは複数及び／又は第２の複数の電極の１若しくは複数に１又は複数の直流電圧を印加するように配置され構成された第３の装置であって、
（ａ）径方向変位を第１の範囲内で有するイオンが、イオンの少なくともいくつかをイオントラップ又は衝突若しくは反応装置の中で少なくとも１つの軸方向に制限するよう作用する直流トラッピングフィールド、直流電位バリア、又はバリアフィールドを経験するよう、及び、
（ｂ）径方向変位を第２の範囲内で有するイオンが、
（ｉ）イオンの少なくともいくつかがイオントラップ又は衝突若しくは反応装置の中で少なくとも１つの軸方向に制限されないように、実質的にゼロの直流トラッピングフィールド、直流電位バリア無し、又はバリアフィールド無しを経験し、かつ／又は、
（ｉｉ）イオンの少なくともいくつかを上記少なくとも１つの軸方向に、かつ／若しくは、イオントラップ又は衝突若しくは反応装置から外へ、抽出するか加速させるよう作用する直流抽出フィールド、加速直流電位差、又は抽出フィールドを経験するようになされた、第３の装置と；
イオントラップ又は衝突若しくは反応装置の中で少なくともいくつかのイオンの径方向変位を変動させるか、増加させるか、減少させるか、又は変更させるように配置され構成された第４の装置と、
を含む。
【００５４】
第４の装置は、
（ｉ）第１の時には第１の範囲内に入る径方向変位を有する少なくともいくつかのイオンに、続く第２の時には第２の範囲内に入る径方向変位を有するようにさせるよう、及び／又は、
（ｉｉ）第１の時には第２の範囲内に入る径方向変位を有する少なくともいくつかのイオンに、続く第２の時には第１の範囲内に入る径方向変位を有するようにさせるよう、
配置されてもよい。
【００５５】
比較的好適ではない実施形態では、
（ｉ）第１の電極セットと第２の電極セットが、同じセットの電極の電気的に絶縁された部分を含み、かつ／若しくは、第１の電極セットと第２の電極セットが、同じセットの電極から機械的に形成され；かつ／又は、
（ｉｉ）第１の電極セットが、誘電体コーティングを有する一式の電極の領域を含み、第２の電極セットが、同じ一式の電極の異なる領域を含み；かつ／又は、
（ｉｉｉ）第２の電極セットが、誘電体コーティングを有する一式の電極の領域を含み、第１の電極セットが、同じ一式の電極の異なる領域を含む。
【００５６】
第２の電極セットは、好ましくは、第１の電極セットの下流に配置される。第１の電極セットの下流端部と第２の電極セットの上流端部の間の軸方向分離は、好ましくは、（ｉ）１ｍｍ未満；（ｉｉ）１〜２ｍｍ；（ｉｉｉ）２〜３ｍｍ；（ｉｖ）３〜４ｍｍ；（ｖ）４〜５ｍｍ；（ｖｉ）５〜６ｍｍ；（ｖｉｉ）６〜７ｍｍ；（ｖｉｉｉ）７〜８ｍｍ；（ｉｘ）８〜９ｍｍ；（ｘ）９〜１０ｍｍ；（ｘｉ）１０〜１５ｍｍ；（ｘｉｉ）１５〜２０ｍｍ；（ｘｉｉｉ）２０〜２５ｍｍ；（ｘｉｖ）２５〜３０ｍｍ；（ｘｖ）３０〜３５ｍｍ；（ｘｖｉ）３５〜４０ｍｍ；（ｘｖｉｉ）４０〜４５ｍｍ；（ｘｖｉｉｉ）４５〜５０ｍｍ；及び（ｘｉｘ）５０ｍｍ超からなる群より選択される。
【００５７】
第１の電極セットは、好ましくは、第２の電極セットと、実質的に隣接するよう、及び／又は同軸であるよう配置される。
【００５８】
第１の複数の電極は、好ましくは、多極ロッドセット、４極ロッドセット、６極ロッドセット、８極ロッドセット、又は、９以上のロッドを有するロッドセットを含む。第２の複数の電極は、好ましくは、多極ロッドセット、４極ロッドセット、６極ロッドセット、８極ロッドセット、又は、９以上のロッドを有するロッドセットを含む。
【００５９】
比較的好適ではない実施形態では、第１の複数の電極は、複数の電極を含むか、又は、使用時にイオンを伝送する開口部を有する少なくとも５、１０、１５、２０、２５、３０、３５、４０、４５、５０、５５、６０、６５、７０、７５、８０、８５、９０、９５、１００、１１０、１２０、１３０、１４０、１５０、１６０、１７０、１８０、１９０、若しくは２００の電極を含んでもよい。比較的好適ではない実施形態では、第２の複数の電極は、複数の電極を含むか、又は、使用時にイオンを伝送する開口部を有する少なくとも５、１０、１５、２０、２５、３０、３５、４０、４５、５０、５５、６０、６５、７０、７５、８０、８５、９０、９５、１００、１１０、１２０、１３０、１４０、１５０、１６０、１７０、１８０、１９０、又は２００の電極を含んでもよい。
【００６０】
好適実施形態では、第１の電極セットは第１の軸方向長さを有し、第２の電極セットは第２の軸方向長さを有し、第１の軸方向長さは第２の軸方向長さより実質的に長く、かつ／又は、第２の軸方向長さに対する第１の軸方向長さの比は、少なくとも２、３、４、５、６、７、８、９、１０、１１、１２、１３、１４、１５、１６、１７、１８、１９、２０、２５、３０、３５、４０、４５、若しくは５０である。
【００６１】
好ましくは、第３の装置は、第１の電極セット及び／又は第２の電極セットの中心長手方向軸線から測定した第１の径方向の径方向変位とともに増加及び／又は減少及び／又は変動する、第１の電極セット内及び／又は第２の電極セット内の電位を、使用中に発生させるために、第１の複数の電極の１若しくは複数及び／又は第２の複数の電極の１若しくは複数に１若しくは複数の直流電圧を印加するよう、配置され構成される。好ましくは、第３の装置は、第１の電極セット及び／又は第２の電極セットの中心長手方向軸線から測定した第２の径方向の径方向変位とともに増加及び／又は減少及び／又は変動する電位を、使用中に発生させるために、第１の複数の電極の１若しくは複数及び／又は第２の複数の電極の１若しくは複数に１若しくは複数の直流電圧を印加するよう、配置され構成される。第２の径方向は、好ましくは、第１の径方向に対して直交する。
【００６２】
好適実施形態では、第３の装置は、第１の電極セット及び／又は第２の電極セットの中心長手方向軸線から測定したイオンの径方向変位が第１の値より大きいか小さい場合に、イオントラップ又は衝突若しくは反応装置の中で少なくともいくつかの正イオン及び／又は負イオンを軸方向に制限するために、第１の複数の電極の１若しくは複数及び／又は第２の複数の電極の１若しくは複数に１若しくは複数の直流電圧を印加するよう、配置され構成されてもよい。
【００６３】
好適実施形態では、好ましくは、第３の装置は、イオントラップ又は衝突若しくは反応装置の長さ部に沿って１又は複数の軸方向位置で、１又は複数の半径依存性軸方向直流電位バリアを、使用中に発生させるよう配置され構成される。好ましくは、この１又は複数の半径依存性軸方向直流電位バリアは、イオントラップ又は衝突若しくは反応装置の中の正イオン及び／又は負イオンの少なくともいくつか又は少なくとも５％、１０％、１５％、２０％、２５％、３０％、３５％、４０％、４５％、５０％、５５％、６０％、６５％、７０％、７５％、８０％、８５％、９０％、又は９５％が１又は複数の軸方向直流電位バリアを軸方向に超過すること及び／又はイオントラップ又は衝突若しくは反応装置から軸方向に抽出されることを防ぐ。
【００６４】
好ましくは、第３の装置は、第１の電極セット及び／又は第２の電極セットの中心長手方向軸線から測定したイオンの径方向変位が第１の値より大きいか小さい場合に、イオントラップ又は衝突若しくは反応装置から少なくともいくつかの正イオン及び／又は負イオンを抽出するか加速させるよう好ましくは作用する抽出フィールドを、使用中に発生させるために、第１の複数の電極の１若しくは複数及び／又は第２の複数の電極の１若しくは複数に１若しくは複数の直流電圧を印加するよう、配置され構成される。
【００６５】
好ましくは、第３の装置は、イオントラップ又は衝突若しくは反応装置の長さ部に沿って１又は複数の軸方向位置で、１又は複数の軸方向直流抽出電気フィールドを、使用中に発生させるよう配置され構成される。好ましくは、１又は複数の軸方向直流抽出電気フィールドは、イオントラップ又は衝突若しくは反応装置の中の正イオン及び／又は負イオンの少なくともいくつか又は少なくとも５％、１０％、１５％、２０％、２５％、３０％、３５％、４０％、４５％、５０％、５５％、６０％、６５％、７０％、７５％、８０％、８５％、９０％、又は９５％が、直流トラッピングフィールド、直流電位バリア、又はバリアフィールドを軸方向に超過すること及び／又はイオントラップ又は衝突若しくは反応装置から軸方向に抽出されること、を引き起こす。
【００６６】
好適実施形態では、第３の装置は、イオンの少なくともいくつかを少なくとも１つの軸方向に制限するよう作用する直流トラッピングフィールド、直流電位バリア、又はバリアフィールドを、使用中に発生させるよう配置され構成され、第１の電極セット及び／又は第２の電極セットの中心長手方向軸線から測定したイオンの径方向変位が、好ましくは、（ｉ）０〜０．５ｍｍ；（ｉｉ）０．５〜１．０ｍｍ；（ｉｉｉ）１．０〜１．５ｍｍ；（ｉｖ）１．５〜２．０ｍｍ；（ｖ）２．０〜２．５ｍｍ；（ｖｉ）２．５〜３．０ｍｍ；（ｖｉｉ）３．０〜３．５ｍｍ；（ｖｉｉｉ）３．５〜４．０ｍｍ；（ｉｘ）４．０〜４．５ｍｍ；（ｘ）４．５〜５．０ｍｍ；（ｘｉ）５．０〜５．５ｍｍ；（ｘｉｉ）５．５〜６．０ｍｍ；（ｘｉｉｉ）６．０〜６．５ｍｍ；（ｘｉｖ）６．５〜７．０ｍｍ；（ｘｖ）７．０〜７．５ｍｍ；（ｘｖｉ）７．５〜８．０ｍｍ；（ｘｖｉｉ）８．０〜８．５ｍｍ；（ｘｖｉｉｉ）８．５〜９．０ｍｍ；（ｘｉｘ）９．０〜９．５ｍｍ；（ｘｘ）９．５〜１０．０ｍｍ；及び（ｘｘｉ）１０．０ｍｍ超からなる群より選択される範囲内にある。
【００６７】
好適実施形態では、第３の装置は、イオンの少なくともいくつかがイオントラップ又は衝突若しくは反応装置の中で少なくとも１つの軸方向に制限されないように、実質的にゼロの直流トラッピングフィールド、直流電位バリア無し、又はバリアフィールド無しを少なくとも１つの位置で提供するよう配置され構成され、第１の電極セット及び／又は第２の電極セットの中心長手方向軸線から測定したイオンの径方向変位が、好ましくは、（ｉ）０〜０．５ｍｍ；（ｉｉ）０．５〜１．０ｍｍ；（ｉｉｉ）１．０〜１．５ｍｍ；（ｉｖ）１．５〜２．０ｍｍ；（ｖ）２．０〜２．５ｍｍ；（ｖｉ）２．５〜３．０ｍｍ；（ｖｉｉ）３．０〜３．５ｍｍ；（ｖｉｉｉ）３．５〜４．０ｍｍ；（ｉｘ）４．０〜４．５ｍｍ；（ｘ）４．５〜５．０ｍｍ；（ｘｉ）５．０〜５．５ｍｍ；（ｘｉｉ）５．５〜６．０ｍｍ；（ｘｉｉｉ）６．０〜６．５ｍｍ；（ｘｉｖ）６．５〜７．０ｍｍ；（ｘｖ）７．０〜７．５ｍｍ；（ｘｖｉ）７．５〜８．０ｍｍ；（ｘｖｉｉ）８．０〜８．５ｍｍ；（ｘｖｉｉｉ）８．５〜９．０ｍｍ；（ｘｉｘ）９．０〜９．５ｍｍ；（ｘｘ）９．５〜１０．０ｍｍ；及び（ｘｘｉ）１０．０ｍｍ超からなる群より選択される範囲内にある。
【００６８】
好ましくは、第３の装置は、イオンの少なくともいくつかを少なくとも１つの軸方向へ、かつ／又はイオントラップ又は衝突若しくは反応装置から外へ、抽出するか加速させるよう作用する直流抽出フィールド、加速直流電位差、又は抽出フィールドを、使用中に発生させるよう、配置され構成され、第１の電極セット及び／又は第２の電極セットの中心長手方向軸線から測定したイオンの径方向変位が、好ましくは、（ｉ）０〜０．５ｍｍ；（ｉｉ）０．５〜１．０ｍｍ；（ｉｉｉ）１．０〜１．５ｍｍ；（ｉｖ）１．５〜２．０ｍｍ；（ｖ）２．０〜２．５ｍｍ；（ｖｉ）２．５〜３．０ｍｍ；（ｖｉｉ）３．０〜３．５ｍｍ；（ｖｉｉｉ）３．５〜４．０ｍｍ；（ｉｘ）４．０〜４．５ｍｍ；（ｘ）４．５〜５．０ｍｍ；（ｘｉ）５．０〜５．５ｍｍ；（ｘｉｉ）５．５〜６．０ｍｍ；（ｘｉｉｉ）６．０〜６．５ｍｍ；（ｘｉｖ）６．５〜７．０ｍｍ；（ｘｖ）７．０〜７．５ｍｍ；（ｘｖｉ）７．５〜８．０ｍｍ；（ｘｖｉｉ）８．０〜８．５ｍｍ；（ｘｖｉｉｉ）８．５〜９．０ｍｍ；（ｘｉｘ）９．０〜９．５ｍｍ；（ｘｘ）９．５〜１０．０ｍｍ；及び（ｘｘｉ）１０．０ｍｍ超からなる群より選択される範囲内にある。
【００６９】
第１の複数の電極は、好ましくは、ｒ１の内接半径及び第１の長手方向軸線を有し、かつ／又は、第２の複数の電極はｒ２の内接半径及び第２の長手方向軸線を有する。
【００７０】
好ましくは、第３の装置は、イオントラップ又は衝突若しくは反応装置の中でイオンの少なくともいくつかを少なくとも１つの軸方向に制限するよう作用する直流トラッピングフィールド、直流電位バリア、又はバリアフィールドを、発生させるよう配置され構成され、直流トラッピングフィールド、直流電位バリア、又はバリアフィールドは、半径又は変位が第１の長手方向軸線及び／又は第２の長手方向軸線から第１の径方向へ第１の内接半径ｒ１及び／又は第２の内接半径ｒ２の少なくとも５％、１０％、１５％、２０％、２５％、３０％、３５％、４０％、４５％、５０％、５５％、６０％、６５％、７０％、７５％、８０％、８５％、９０％、９５％、又は１００％にまで増加するとともに増加及び／又は減少及び／又は変動する。
【００７１】
好ましくは、第３の装置は、イオントラップ又は衝突若しくは反応装置の中でイオンの少なくともいくつかを少なくとも１つの軸方向に制限するよう作用する直流トラッピングフィールド、直流電位バリア、又はバリアフィールドを、発生させるよう配置され構成され、直流トラッピングフィールド、直流電位バリア、又はバリアフィールドは、半径又は変位が第１の長手方向軸線及び／又は第２の長手方向軸線から第２の径方向へ第１の内接半径ｒ１及び／又は第２の内接半径ｒ２の少なくとも５％、１０％、１５％、２０％、２５％、３０％、３５％、４０％、４５％、５０％、５５％、６０％、６５％、７０％、７５％、８０％、８５％、９０％、９５％、又は１００％にまで増加するとともに増加及び／又は減少及び／又は変動する。第２の径方向は、好ましくは、第１の径方向に対して直交する。
【００７２】
好ましくは、第３の装置は、イオンの少なくともいくつかがイオントラップ又は衝突若しくは反応装置の中で少なくとも１つの軸方向に制限されないように、実質的にゼロの直流トラッピングフィールド、直流電位バリア無し、又はバリアフィールド無しを少なくとも１つの位置で提供するよう配置され構成され、実質的にゼロの直流トラッピングフィールド、直流電位バリア無し、又はバリアフィールド無しは、半径又は変位が第１の長手方向軸線及び／又は第２の長手方向軸線から第１の径方向へ第１の内接半径ｒ１及び／又は第２の内接半径ｒ２の少なくとも５％、１０％、１５％、２０％、２５％、３０％、３５％、４０％、４５％、５０％、５５％、６０％、６５％、７０％、７５％、８０％、８５％、９０％、９５％、又は１００％にまで増加するとともに拡大する。好ましくは、第３の装置は、イオンの少なくともいくつかがイオントラップ又は衝突若しくは反応装置の中で少なくとも１つの軸方向に制限されないように、実質的にゼロの直流トラッピングフィールド、直流電位バリア無し、又はバリアフィールド無しを少なくとも１つの位置で提供するよう配置され構成され、実質的にゼロの直流トラッピングフィールド、直流電位バリア無し、又はバリアフィールド無しは、半径又は変位が第１の長手方向軸線及び／又は第２の長手方向軸線から第２の径方向へ第１の内接半径ｒ１及び／又は第２の内接半径ｒ２の少なくとも５％、１０％、１５％、２０％、２５％、３０％、３５％、４０％、４５％、５０％、５５％、６０％、６５％、７０％、７５％、８０％、８５％、９０％、９５％、又は１００％にまで増加するとともに拡大する。第２の径方向は、好ましくは、第１の径方向に対して直交する。
【００７３】
第３の装置は、イオンの少なくともいくつかを少なくとも１つの軸方向へ、かつ／又はイオントラップ又は衝突若しくは反応装置から外へ、抽出するか加速させるよう作用する直流抽出フィールド、加速直流電位差、又は抽出フィールドを発生させるよう、配置され構成され、直流抽出フィールド、加速直流電位差、又は抽出フィールドは、半径又は変位が第１の長手方向軸線及び／又は第２の長手方向軸線から第１の径方向へ第１の内接半径ｒ１及び／又は第２の内接半径ｒ２の少なくとも５％、１０％、１５％、２０％、２５％、３０％、３５％、４０％、４５％、５０％、５５％、６０％、６５％、７０％、７５％、８０％、８５％、９０％、９５％、又は１００％にまで増加するとともに増加及び／又は減少及び／又は変動する。好ましくは、第３の装置は、イオンの少なくともいくつかを少なくとも１つの軸方向へ、かつ／又はイオントラップ又は衝突若しくは反応装置から外へ、抽出するか加速させるよう作用する直流抽出フィールド、加速直流電位差、又は抽出フィールドを発生させるよう、配置され構成され、直流抽出フィールド、加速直流電位差、又は抽出フィールドは、半径又は変位が第１の長手方向軸線及び／又は第２の長手方向軸線から第２の径方向へ第１の内接半径ｒ１及び／又は第２の内接半径ｒ２の少なくとも５％、１０％、１５％、２０％、２５％、３０％、３５％、４０％、４５％、５０％、５５％、６０％、６５％、７０％、７５％、８０％、８５％、９０％、９５％、又は１００％にまで増加するとともに増加及び／又は減少及び／又は変動する。第２の径方向は、好ましくは、第１の径方向に対して直交する。
【００７４】
好適実施形態では、イオントラップ又は衝突若しくは反応装置の中でイオンの少なくともいくつかを少なくとも１つの軸方向に制限するよう作用する直流トラッピングフィールド、直流電位バリア、又はバリアフィールドは、イオントラップ又は衝突若しくは反応装置の長さ部に沿って１又は複数の軸方向位置に、かつ、第１の電極セット及び／又は第２の電極セットの軸方向中心から上流及び／又は下流に少なくともｘｍｍ離れて、発生され、ｘは、好ましくは、（ｉ）１未満；（ｉｉ）１〜２；（ｉｉｉ）２〜３；（ｉｖ）３〜４；（ｖ）４〜５；（ｖｉ）５〜６；（ｖｉｉ）６〜７；（ｖｉｉｉ）７〜８；（ｉｘ）８〜９；（ｘ）９〜１０；（ｘｉ）１０〜１５；（ｘｉｉ）１５〜２０；（ｘｉｉｉ）２０〜２５；（ｘｉｖ）２５〜３０；（ｘｖ）３０〜３５；（ｘｖｉ）３５〜４０；（ｘｖｉｉ）４０〜４５；（ｘｖｉｉｉ）４５〜５０；及び（ｘｉｘ）５０超からなる群より選択される。
【００７５】
好適実施形態では、ゼロ直流トラッピングフィールド、直流電位バリア無し、又はバリアフィールド無しは、イオントラップ又は衝突若しくは反応装置の長さ部に沿って１又は複数の軸方向位置に、かつ、第１の電極セット及び／又は第２の電極セットの軸方向中心から上流及び／又は下流に少なくともｙｍｍ離れて、提供され、ｙは、好ましくは、（ｉ）１未満；（ｉｉ）１〜２；（ｉｉｉ）２〜３；（ｉｖ）３〜４；（ｖ）４〜５；（ｖｉ）５〜６；（ｖｉｉ）６〜７；（ｖｉｉｉ）７〜８；（ｉｘ）８〜９；（ｘ）９〜１０；（ｘｉ）１０〜１５；（ｘｉｉ）１５〜２０；（ｘｉｉｉ）２０〜２５；（ｘｉｖ）２５〜３０；（ｘｖ）３０〜３５；（ｘｖｉ）３５〜４０；（ｘｖｉｉ）４０〜４５；（ｘｖｉｉｉ）４５〜５０；及び（ｘｉｘ）５０超からなる群より選択される。
【００７６】
好適実施形態では、イオンの少なくともいくつかを少なくとも１つの軸方向へ、かつ／又はイオントラップ又は衝突若しくは反応装置から外へ、抽出するか加速させるよう作用する直流抽出フィールド、加速直流電位差、又は抽出フィールドは、イオントラップ又は衝突若しくは反応装置の長さ部に沿って１又は複数の軸方向位置に、かつ、第１の電極セット及び／又は第２の電極セットの軸方向中心から上流及び／又は下流に少なくともｚｍｍ離れて、発生され、ｚは、好ましくは、（ｉ）１未満；（ｉｉ）１〜２；（ｉｉｉ）２〜３；（ｉｖ）３〜４；（ｖ）４〜５；（ｖｉ）５〜６；（ｖｉｉ）６〜７；（ｖｉｉｉ）７〜８；（ｉｘ）８〜９；（ｘ）９〜１０；（ｘｉ）１０〜１５；（ｘｉｉ）１５〜２０；（ｘｉｉｉ）２０〜２５；（ｘｉｖ）２５〜３０；（ｘｖ）３０〜３５；（ｘｖｉ）３５〜４０；（ｘｖｉｉ）４０〜４５；（ｘｖｉｉｉ）４５〜５０；及び（ｘｉｘ）５０超からなる群より選択される。
【００７７】
好ましくは、第３の装置は、
（ｉ）運転モードにあるイオントラップ又は衝突若しくは反応装置から軸方向にイオンが排出されている間に、直流トラッピングフィールド、直流電位バリア、又はバリアフィールドの径方向及び／又は軸方向の位置が実質的に一定のままであるよう；及び／又は、
（ｉｉ）運転モードにあるイオントラップ又は衝突若しくは反応装置から軸方向にイオンが排出されている間に、実質的にゼロの直流トラッピングフィールド、直流電位バリア無し、又はバリアフィールド無しの径方向及び／又は軸方向の位置が実質的に一定のままであるよう；及び／又は、
（ｉｉｉ）運転モードにあるイオントラップ又は衝突若しくは反応装置から軸方向にイオンが排出されている間に、直流抽出フィールド、加速直流電位差、又は抽出フィールドの径方向及び／又は軸方向の位置が実質的に一定のままであるよう、
第１の複数の電極の１若しくは複数及び／又は第２の複数の電極の１若しくは複数に１若しくは複数の直流電圧を印加するように配置され構成される。
【００７８】
好ましくは、第３の装置は、
（ｉ）運転モードにあるイオントラップ又は衝突若しくは反応装置から軸方向にイオンが排出されている間に、直流トラッピングフィールド、直流電位バリア、又はバリアフィールドの径方向及び／又は軸方向の位置を変動させるか、増加させるか、減少させるか、又は走査させるよう；及び／又は、
（ｉｉ）運転モードにあるイオントラップ又は衝突若しくは反応装置から軸方向にイオンが排出されている間に、実質的にゼロの直流トラッピングフィールド、直流電位バリア無し、又はバリアフィールド無しの径方向及び／又は軸方向の位置を変動させるか、増加させるか、減少させるか、又は走査させるよう；及び／又は、
（ｉｉｉ）運転モードにあるイオントラップ又は衝突若しくは反応装置から軸方向にイオンが排出されている間に、直流抽出フィールド、加速直流電位差、又は抽出フィールドの径方向及び／又は軸方向の位置を変動させるか、増加させるか、減少させるか、又は走査させるよう、
第１の複数の電極の１若しくは複数及び／又は第２の複数の電極の１若しくは複数に１若しくは複数の直流電圧を印加するように配置され構成される。
【００７９】
好ましくは、第３の装置は、
（ｉ）運転モードにあるイオントラップ又は衝突若しくは反応装置から軸方向にイオンが排出されている間に、直流トラッピングフィールド、直流電位バリア、又はバリアフィールドの振幅が実質的に一定のままであるよう；及び／又は、
（ｉｉ）運転モードにあるイオントラップ又は衝突若しくは反応装置から軸方向にイオンが排出されている間に、実質的にゼロの直流トラッピングフィールド、直流電位バリア無し、又はバリアフィールド無しが実質的にゼロのままであるよう；及び／又は、
（ｉｉｉ）運転モードにあるイオントラップ又は衝突若しくは反応装置から軸方向にイオンが排出されている間に、直流抽出フィールド、加速直流電位差、又は抽出フィールドの振幅が実質的に一定のままであるよう、
第１の複数の電極の１若しくは複数及び／又は第２の複数の電極の１若しくは複数に１若しくは複数の直流電圧を印加するように配置され構成される。
【００８０】
一実施形態では、好ましくは、第３の装置は、
（ｉ）運転モードにあるイオントラップ又は衝突若しくは反応装置から軸方向にイオンが排出されている間に、直流トラッピングフィールド、直流電位バリア、又はバリアフィールドの振幅を変動させるか、増加させるか、減少させるか、又は走査させるよう；及び／又は、
（ｉｉ）運転モードにあるイオントラップ又は衝突若しくは反応装置から軸方向にイオンが排出されている間に、直流抽出フィールド、加速直流電位差、又は抽出フィールドの振幅を変動させるか、増加させるか、減少させるか、又は走査させるよう、
第１の複数の電極の１若しくは複数及び／又は第２の複数の電極の１若しくは複数に１若しくは複数の直流電圧を印加するように配置され構成される。
【００８１】
好ましくは、第４の装置は、第１の電極セット及び／又は第２の電極セット内の少なくとも１つの径方向に少なくともいくつかのイオンを励起するために、かつ、引き続き少なくともいくつかのイオンを、少なくとも１つの軸方向に付勢し、かつ／又はイオントラップ若しくは衝突若しくは反応装置から軸方向に排出し、かつ／又は直流トラッピングフィールド、直流電位、若しくはバリアフィールドを通過させるために、１又は複数の励起、交流、又は不安定（ｔｉｃｋｌｅ）電圧の第１の位相及び／又は第２の逆位相を、第１の複数の電極の少なくともいくつか及び／又は第２の複数の電極の少なくともいくつかに印加するように配置され構成される。少なくとも１つの軸方向に付勢し、かつ／又はイオントラップ若しくは衝突若しくは反応装置から軸方向に排出し、かつ／又は直流トラッピングフィールド、直流電位、若しくはバリアフィールドを通過させるイオンは、好ましくは、第２の電極セット内に形成されるイオン経路に沿って移動する。
【００８２】
好ましくは、第４の装置は、第１の電極セット及び／又は第２の電極セット内の少なくともいくつかのイオンの径方向運動を質量又は質量電荷比選択的方法で少なくとも１つの径方向に増加させるよう第１の電極セット及び／又は第２の電極セット内の径方向に少なくともいくつかのイオンを質量又は質量電荷比選択的方法で励起させるために、１又は複数の励起、交流、又は不安定（ｔｉｃｋｌｅ）電圧の第１の相及び／又は第２の逆位相を、第１の複数の電極の少なくともいくつか及び／又は第２の複数の電極の少なくともいくつかに印加するように配置され構成される。
【００８３】
好ましくは、１又は複数の励起、交流、又は不安定電圧は、（ｉ）５０ｍＶ未満ピークトゥピーク；（ｉｉ）５０〜１００ｍＶピークトゥピーク；（ｉｉｉ）１００〜１５０ｍＶピークトゥピーク；（ｉｖ）１５０〜２００ｍＶピークトゥピーク；（ｖ）２００〜２５０ｍＶピークトゥピーク；（ｖｉ）２５０〜３００ｍＶピークトゥピーク；（ｖｉｉ）３００〜３５０ｍＶピークトゥピーク；（ｖｉｉｉ）３５０〜４００ｍＶピークトゥピーク；（ｉｘ）４００〜４５０ｍＶピークトゥピーク；（ｘ）４５０〜５００ｍＶピークトゥピーク；及び（ｘｉ）５００ｍＶ超ピークトゥピークからなる群より選択される振幅を有する。好ましくは、１又は複数の励起、交流、又は不安定電圧は、（ｉ）１０ｋＨｚ未満；（ｉｉ）１０〜２０ｋＨｚ；（ｉｉｉ）２０〜３０ｋＨｚ；（ｉｖ）３０〜４０ｋＨｚ；（ｖ）４０〜５０ｋＨｚ；（ｖｉ）５０〜６０ｋＨｚ；（ｖｉｉ）６０〜７０ｋＨｚ；（ｖｉｉｉ）７０〜８０ｋＨｚ；（ｉｘ）８０〜９０ｋＨｚ；（ｘ）９０〜１００ｋＨｚ；（ｘｉ）１００〜１１０ｋＨｚ；（ｘｉｉ）１１０〜１２０ｋＨｚ；（ｘｉｉｉ）１２０〜１３０ｋＨｚ；（ｘｉｖ）１３０〜１４０ｋＨｚ；（ｘｖ）１４０〜１５０ｋＨｚ；（ｘｖｉ）１５０〜１６０ｋＨｚ；（ｘｖｉｉ）１６０〜１７０ｋＨｚ；（ｘｖｉｉｉ）１７０〜１８０ｋＨｚ；（ｘｉｘ）１８０〜１９０ｋＨｚ；（ｘｘ）１９０〜２００ｋＨｚ；ａｎｄ（ｘｘｉ）２００〜２５０ｋＨｚ；（ｘｘｉｉ）２５０〜３００ｋＨｚ；（ｘｘｉｉｉ）３００〜３５０ｋＨｚ；（ｘｘｉｖ）３５０〜４００ｋＨｚ；（ｘｘｖ）４００〜４５０ｋＨｚ；（ｘｘｖｉ）４５０〜５００ｋＨｚ；（ｘｘｖｉｉ）５００〜６００ｋＨｚ；（ｘｘｖｉｉｉ）６００〜７００ｋＨｚ；（ｘｘｉｘ）７００〜８００ｋＨｚ；（ｘｘｘ）８００〜９００ｋＨｚ；（ｘｘｘｉ）９００〜１０００ｋＨｚ；及び（ｘｘｘｉｉ）１ＭＨｚ超からなる群より選択される周波数を有する。
【００８４】
一好適実施形態では、第４の装置は、第１の複数の電極の少なくともいくつか及び／又は第２の複数の電極の少なくともいくつかに印加される１又は複数の励起、交流、又は不安定電圧の周波数及び／又は振幅及び／又は相を実質的に一定に維持するように配置され構成される。
【００８５】
一好適実施形態では、第４の装置は、第１の複数の電極の少なくともいくつか及び／又は第２の複数の電極の少なくともいくつかに印加される１又は複数の励起、交流、又は不安定電圧の周波数及び／又は振幅及び／又は相を変動させるか、増加させるか、減少させるか、又は走査させるように配置され構成される。
【００８６】
好ましくは、第１の電極セットは、第１の中心長手方向軸線を含み、
（ｉ）第１の中心長手方向軸線に沿って直接的な見通し線があり、かつ／又は、
（ｉｉ）第１の中心長手方向軸線に沿って実質的に物理的な軸方向障害がなく、かつ／又は、
（ｉｉｉ）使用中に第１の中心長手方向軸線に沿って伝送されるイオンが実質的に１００％のイオン伝送効率で伝送される。
【００８７】
好ましくは、第２の電極セットは、第２の中心長手方向軸線を含み、
（ｉ）第２の中心長手方向軸線に沿って直接的な見通し線があり、かつ／又は、
（ｉｉ）第２の中心長手方向軸線に沿って実質的に物理的な軸方向障害がなく、かつ／又は、
（ｉｉｉ）使用中に第２の中心長手方向軸線に沿って伝送されるイオンが実質的に１００％のイオン伝送効率で伝送される。
【００８８】
一好適実施形態では、第１の複数の電極は第１の断面積及び／又は形状を個別及び／又は組み合せで有し、第２の複数の電極は第２の断面積及び／又は形状を個別及び／又は組み合せで有し、第１の断面積及び／又は形状は、第１の電極セット及び第２の電極セットの軸方向長さ部に沿って１又は複数の箇所で第２の断面積及び／又は形状と実質的に同じであり、かつ／又は、第１の複数の電極の下流端部における第１の断面積及び／又は形状は、第２の複数の電極の上流端部における第２の断面積及び／又は形状と実質的に同じある。
【００８９】
一好適実施形態では、第１の複数の電極は第１の断面積及び／又は形状を個別及び／又は組み合せで有し、第２の複数の電極は第２の断面積及び／又は形状を個別及び／又は組み合せで有し、第１の電極セット及び第２の電極セットの軸方向長さ部に沿った１又は複数の箇所並びに／又は第１の複数の電極の下流端部及び第２の複数の電極の上流の端部において、第２の断面積及び／又は形状に対する第１の断面積及び／又は形状の比が、（ｉ）０．５０未満；（ｉｉ）０．５０〜０．６０；（ｉｉｉ）０．６０〜０．７０；（ｉｖ）０．７０〜０．８０；（ｖ）０．８０〜０．９０；（ｖｉ）０．９０〜１．００；（ｖｉｉ）１．００〜１．１０；（ｖｉｉｉ）１．１０〜１．２０；（ｉｘ）１．２０〜１．３０；（ｘ）１．３０〜１．４０；（ｘｉ）１．４０〜１．５０；及び（ｘｉｉ）１．５０超からなる群より選択される。
【００９０】
好適実施形態では、好ましくは、イオントラップ又は衝突若しくは反応装置は、第１の電極セットの間に配置された第１の複数の羽根若しくは補助電極及び／又は第２の電極セットの間に配置された第２の複数の羽根若しくは補助電極をさらに含む。
【００９１】
好ましくは、第１の複数の羽根若しくは補助電極及び／又は第２の複数の羽根若しくは補助電極はそれぞれ、第１の平面に配置された羽根若しくは補助電極の第１のグループ及び／又は第２の平面に配置された電極の第２のグループを含む。第２の平面は、好ましくは、第１の平面に対して直交する。
【００９２】
好ましくは、羽根又は補助電極の第１のグループは、第１の電極セットの第１の長手方向軸線及び／又は第２の電極セットの第２の長手方向軸線の１の側に配置された羽根又は補助電極の第１のセットと、第１の長手方向軸線及び／又は第２の長手方向軸線の反対の側に配置された羽根又は補助電極の第２のセットとを含む。羽根又は補助電極の第１のセット及び／又は羽根又は補助電極の第２のセットは、好ましくは、少なくとも１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４５、５０、５５、６０、６５、７０、７５、８０、８５、９０、９５、又は１００の羽根又は補助電極を含む。
【００９３】
好ましくは、羽根又は補助電極の第２のグループは、第１の長手方向軸線及び／又は第２の長手方向軸線の一側面に配置された羽根又は補助電極の第３のセット、並びに、第１の長手方向軸線及び／又は第２の長手方向軸線の反対の側面に配置された羽根又は補助電極の第４のセットを含む。羽根又は補助電極の第３のセット及び／又は羽根又は補助電極の第４のセットは、好ましくは、少なくとも１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４５、５０、５５、６０、６５、７０、７５、８０、８５、９０、９５、又は１００の羽根又は補助電極を含む。
【００９４】
好ましくは、羽根若しくは補助電極の第１のセット及び／又は羽根若しくは補助電極の第２のセット及び／又は羽根若しくは補助電極の第３のセット及び／又は羽根若しくは補助電極の第４のセットは、第１の電極セット及び／又は第２の電極セットを形成する異なる電極対の間に配置される。
【００９５】
好ましくは、イオントラップ又は衝突若しくは反応装置は、１若しくは複数の第１の直流電圧及び／又は１若しくは複数の第２の直流電圧を（ｉ）羽根若しくは補助電極の少なくともいくつか；及び／又は（ｉｉ）羽根若しくは補助電極の第１のセット；及び／又は（ｉｉｉ）羽根若しくは補助電極の第２のセット；及び／又は（ｉｖ）羽根若しくは補助電極の第３のセット；及び／又は（ｖ）羽根若しくは補助電極の第４のセット、に印加するように配置され構成された第６の装置をさらに含む。
【００９６】
好ましくは、１若しくは複数の第１の直流電圧及び／又は１若しくは複数の第２の直流電圧は、１若しくは複数の過渡直流電圧若しくは電位及び／又は１若しくは複数の過渡直流電圧若しくは電位波形を含む。
【００９７】
好ましくは、１若しくは複数の第１の直流電圧及び／又は１若しくは複数の第２の直流電圧は、
（ｉ）イオンが、イオントラップ又は衝突若しくは反応装置の軸方向長さ部の少なくとも一部に沿って、イオントラップ又は衝突若しくは反応装置の軸方向及び／又は第１の領域の入口の方に付勢、駆動、加速、又は推進されるよう、及び／又は、
（ｉｉ）少なくとも１の径方向に励起されたイオンが、イオントラップ又は衝突若しくは反応装置の軸方向長さ部の少なくとも一部に沿って、イオントラップ又は衝突若しくは反応装置の反対の軸方向及び／又は出口若しくは第２の領域の方に付勢、駆動、加速、又は推進されるようにする。
【００９８】
好ましくは、１若しくは複数の第１の直流電圧及び／又は１若しくは複数の第２の直流電圧は、実質的に同じ振幅又は異なる振幅を有する。好ましくは、１若しくは複数の第１の直流電圧及び／又は１若しくは複数の第２の直流電圧の振幅は、（ｉ）１Ｖ未満；（ｉｉ）１〜２Ｖ；（ｉｉｉ）２〜３Ｖ；（ｉｖ）３〜４Ｖ；（ｖ）４〜５Ｖ；（ｖｉ）５〜６Ｖ；（ｖｉｉ）６〜７Ｖ；（ｖｉｉｉ）７〜８Ｖ；（ｉｘ）８〜９Ｖ；（ｘ）９〜１０Ｖ；（ｘｉ）１０〜１５Ｖ；（ｘｉｉ）１５〜２０Ｖ；（ｘｉｉｉ）２０〜２５Ｖ；（ｘｉｖ）２５〜３０Ｖ；（ｘｖ）３０〜３５Ｖ；（ｘｖｉ）３５〜４０Ｖ；（ｘｖｉｉ）４０〜４５Ｖ；（ｘｖｉｉｉ）４５〜５０Ｖ；及び（ｘｉｘ）５０Ｖ超からなる群より選択される。
【００９９】
好ましくは、第４の装置は、第１の電極セット及び／又は第２の電極セット内の少なくとも１つの径方向に少なくともいくつかのイオンを励起するために、かつ、引き続き少なくともいくつかのイオンを、少なくとも１つの軸方向に付勢し、かつ／又はイオントラップ若しくは衝突若しくは反応装置から軸方向に排出し、かつ／又は直流トラッピングフィールド、直流電位、若しくはバリアフィールドを通過させるために、
１又は複数の励起、交流、又は不安定電圧の第１の相及び／又は第２の逆位相を、
（ｉ）羽根若しくは補助電極の少なくともいくつか；及び／又は
（ｉｉ）羽根若しくは補助電極の第１のセット；及び／又は
（ｉｉｉ）羽根若しくは補助電極の第２のセット；及び／又は
（ｉｖ）羽根若しくは補助電極の第３のセット；及び／又は
（ｖ）羽根若しくは補助電極の第４のセット、
に印加するように配置され構成される。
【０１００】
少なくとも１の軸方向に付勢され、かつ／又はイオントラップ若しくは衝突若しくは反応装置から軸方向に排出され、かつ／又は直流トラッピングフィールド、直流電位、若しくはバリアフィールドを通過するイオンは、好ましくは、第２の電極セット内に形成されるイオン経路に沿って移動する。
【０１０１】
好適実施形態では、第４の装置は、第１の電極セット及び／又は第２の電極セット内の径方向に少なくともいくつかのイオンを質量又は質量電荷比選択的方法で励起させて、第１の電極セット及び／又は第２の電極セット内の少なくともいくつかのイオンの径方向運動を質量又は質量電荷比選択的方法で少なくとも１つの径方向に増加させるために、
１又は複数の励起、交流、又は不安定電圧の第１の相及び／又は第２の逆位相を、
（ｉ）羽根若しくは補助電極の少なくともいくつか；及び／又は
（ｉｉ）羽根若しくは補助電極の第１のセット；及び／又は
（ｉｉｉ）羽根若しくは補助電極の第２のセット；及び／又は
（ｉｖ）羽根若しくは補助電極の第３のセット；及び／又は
（ｖ）羽根若しくは補助電極の第４のセット、
に印加するように配置され構成される。
【０１０２】
好ましくは、１又は複数の励起、交流、又は不安定電圧は、（ｉ）５０ｍＶ未満ピークトゥピーク；（ｉｉ）５０〜１００ｍＶピークトゥピーク；（ｉｉｉ）１００〜１５０ｍＶピークトゥピーク；（ｉｖ）１５０〜２００ｍＶピークトゥピーク；（ｖ）２００〜２５０ｍＶピークトゥピーク；（ｖｉ）２５０〜３００ｍＶピークトゥピーク；（ｖｉｉ）３００〜３５０ｍＶピークトゥピーク；（ｖｉｉｉ）３５０〜４００ｍＶピークトゥピーク；（ｉｘ）４００〜４５０ｍＶピークトゥピーク；（ｘ）４５０〜５００ｍＶピークトゥピーク；及び（ｘｉ）５００ｍＶ超ピークトゥピークからなる群より選択される振幅を有する。
【０１０３】
好ましくは、１又は複数の励起、交流、又は不安定電圧は、（ｉ）１０ｋＨｚ未満；（ｉｉ）１０〜２０ｋＨｚ；（ｉｉｉ）２０〜３０ｋＨｚ；（ｉｖ）３０〜４０ｋＨｚ；（ｖ）４０〜５０ｋＨｚ；（ｖｉ）５０〜６０ｋＨｚ；（ｖｉｉ）６０〜７０ｋＨｚ；（ｖｉｉｉ）７０〜８０ｋＨｚ；（ｉｘ）８０〜９０ｋＨｚ；（ｘ）９０〜１００ｋＨｚ；（ｘｉ）１００〜１１０ｋＨｚ；（ｘｉｉ）１１０〜１２０ｋＨｚ；（ｘｉｉｉ）１２０〜１３０ｋＨｚ；（ｘｉｖ）１３０〜１４０ｋＨｚ；（ｘｖ）１４０〜１５０ｋＨｚ；（ｘｖｉ）１５０〜１６０ｋＨｚ；（ｘｖｉｉ）１６０〜１７０ｋＨｚ；（ｘｖｉｉｉ）１７０〜１８０ｋＨｚ；（ｘｉｘ）１８０〜１９０ｋＨｚ；（ｘｘ）１９０〜２００ｋＨｚ；ａｎｄ（ｘｘｉ）２００〜２５０ｋＨｚ；（ｘｘｉｉ）２５０〜３００ｋＨｚ；（ｘｘｉｉｉ）３００〜３５０ｋＨｚ；（ｘｘｉｖ）３５０〜４００ｋＨｚ；（ｘｘｖ）４００〜４５０ｋＨｚ；（ｘｘｖｉ）４５０〜５００ｋＨｚ；（ｘｘｖｉｉ）５００〜６００ｋＨｚ；（ｘｘｖｉｉｉ）６００〜７００ｋＨｚ；（ｘｘｉｘ）７００〜８００ｋＨｚ；（ｘｘｘ）８００〜９００ｋＨｚ；（ｘｘｘｉ）９００〜１０００ｋＨｚ；及び（ｘｘｘｉｉ）１ＭＨｚ超からなる群より選択される周波数を有する。
【０１０４】
第４の装置は、複数の羽根若しくは補助電極の少なくともいくつかに印加される１又は複数の励起、交流、又は不安定電圧の周波数及び／又は振幅及び／又は相を実質的に一定に維持するように配置され構成されてもよい。
【０１０５】
第４の装置は、複数の羽根若しくは補助電極の少なくともいくつかに印加される１又は複数の励起、交流、又は不安定電圧の周波数及び／又は振幅及び／又は相を変動させるか、増加させるか、減少させるか、又は走査させるように配置され構成されてもよい。
【０１０６】
第１の複数の羽根若しくは補助電極は、好ましくは、第１の断面積及び／又は形状を個別及び／又は組み合せで有する。第２の複数の羽根若しくは補助電極は、好ましくは、第２の断面積及び／又は形状を個別及び／又は組み合せで有する。第１の断面積及び／又は形状は、好ましくは、第１の複数の羽根若しくは補助電極及び第２の複数の羽根若しくは補助電極の長さ部に沿って１又は複数の箇所で第２の断面積及び／又は形状と実質的に同じある。
【０１０７】
第１の複数の羽根若しくは補助電極は第１の断面積及び／又は形状を個別にかつ／又は組み合せて有しもよく、第２の複数の羽根若しくは補助電極は第２の断面積及び／又は形状を個別にかつ／又は組み合せて有する。第１の複数の羽根若しくは補助電極及び第２の複数の羽根若しくは補助電極の長さ部に沿った１又は複数の箇所において、第２の断面積及び／又は形状に対する第１の断面積及び／又は形状の比が、（ｉ）０．５０未満；（ｉｉ）０．５０〜０．６０；（ｉｉｉ）０．６０〜０．７０；（ｉｖ）０．７０〜０．８０；（ｖ）０．８０〜０．９０；（ｖｉ）０．９０〜１．００；（ｖｉｉ）１．００〜１．１０；（ｖｉｉｉ）１．１０〜１．２０；（ｉｘ）１．２０〜１．３０；（ｘ）１．３０〜１．４０；（ｘｉ）１．４０〜１．５０；及び（ｘｉｉ）１．５０超からなる群より選択される。
【０１０８】
好ましくは、イオントラップ又は衝突若しくは反応装置は、第１の交流若しくはＲＦ電圧を第１の電極セットに、かつ／又は、第２の交流若しくはＲＦ電圧を第２の電極セットに、印加するように配置され構成された第５の装置をさらに含む。好ましくは、第１の交流若しくはＲＦ電圧及び／又は第２の交流若しくはＲＦ電圧は、イオントラップ内で径方向にイオンを制限するように作用する擬似電位の井戸を、第１の電極セット及び／又は第２の電極セット内に発生させる。
【０１０９】
第１の交流若しくはＲＦ電圧及び／又は第２の交流若しくはＲＦ電圧は、好ましくは、（ｉ）５０Ｖ未満ピークトゥピーク；（ｉｉ）５０〜１００Ｖピークトゥピーク；（ｉｉｉ）１００〜１５０Ｖピークトゥピーク；（ｉｖ）１５０〜２００Ｖピークトゥピーク；（ｖ）２００〜２５０Ｖピークトゥピーク；（ｖｉ）２５０〜３００Ｖピークトゥピーク；（ｖｉｉ）３００〜３５０Ｖピークトゥピーク；（ｖｉｉｉ）３５０〜４００Ｖピークトゥピーク；（ｉｘ）４００〜４５０Ｖピークトゥピーク；（ｘ）４５０〜５００Ｖピークトゥピーク；及び（ｘｉ）５００Ｖ超ピークトゥピークからなる群より選択される振幅を有する。
【０１１０】
第１の交流若しくはＲＦ電圧及び／又は第２の交流若しくはＲＦ電圧は、好ましくは、（ｉ）１００ｋＨｚ未満；（ｉｉ）１００〜２００ｋＨｚ；（ｉｉｉ）２００〜３００ｋＨｚ；（ｉｖ）３００〜４００ｋＨｚ；（ｖ）４００〜５００ｋＨｚ；（ｖｉ）０．５〜１．０ＭＨｚ；（ｖｉｉ）１．０〜１．５ＭＨｚ；（ｖｉｉｉ）１．５〜２．０ＭＨｚ；（ｉｘ）２．０〜２．５ＭＨｚ；（ｘ）２．５〜３．０ＭＨｚ；（ｘｉ）３．０〜３．５ＭＨｚ；（ｘｉｉ）３．５〜４．０ＭＨｚ；（ｘｉｉｉ）４．０〜４．５ＭＨｚ；（ｘｉｖ）４．５〜５．０ＭＨｚ；（ｘｖ）５．０〜５．５ＭＨｚ；（ｘｖｉ）５．５〜６．０ＭＨｚ；（ｘｖｉｉ）６．０〜６．５ＭＨｚ；（ｘｖｉｉｉ）６．５〜７．０ＭＨｚ；（ｘｉｘ）７．０〜７．５ＭＨｚ；（ｘｘ）７．５〜８．０ＭＨｚ；（ｘｘｉ）８．０〜８．５ＭＨｚ；（ｘｘｉｉ）８．５〜９．０ＭＨｚ；（ｘｘｉｉｉ）９．０〜９．５ＭＨｚ；（ｘｘｉｖ）９．５〜１０．０ＭＨｚ；及び（ｘｘｖ）１０．０ＭＨｚ超からなる群より選択される周波数を有する。
【０１１１】
好適実施形態では、第１の交流若しくはＲＦ電圧及び第２の交流若しくはＲＦ電圧は、実質的に同じ振幅及び／又は同じ周波数及び／又は同じ相を有する。
【０１１２】
比較的好適でない実施形態では、第５の装置は、第１の交流又はＲＦ電圧及び／又は第２の交流又はＲＦ電圧の周波数及び／又は振幅及び／又は相を実質的に一定に維持するように配置され構成されてもよい。
【０１１３】
好適実施形態では、第５の装置は、第１の交流若しくはＲＦ電圧及び／又は前記第２の交流若しくはＲＦ電圧の周波数及び／又は振幅及び／又は相を変動させるか、増加させるか、減少させるか、又は走査させるように配置され構成される。
【０１１４】
実施形態では、第４の装置は、共鳴排出及び／又は質量選択的不安定性及び／又はパラメトリック励起によってイオンを励起させるように配置され構成される。
【０１１５】
好ましくは、第４の装置は、第１の複数の電極及び／又は第２の複数の電極の少なくともいくつかに１又は複数の直流電位を印加することによってイオンの径方向変位を増加させるように配置され構成される。
【０１１６】
好ましくは、イオントラップ又は衝突若しくは反応装置は、第１の電極セット及び／又は第２の電極セットの上流及び／又は下流に配置された１又は複数の電極をさらに含み、運転モード中に、１又は複数の直流及び／又は交流又はＲＦ電圧が、少なくともいくつかのイオンをイオントラップ又は衝突若しくは反応装置の軸方向に制限するために、１又は複数の電極に印加される。
【０１１７】
好ましくは、運転モード中に、少なくともいくつかのイオンは、イオントラップ又は衝突若しくは反応装置の１又は複数の上流及び／又は中間及び／又は下流領域にトラップされるか分離されるように配置される。
【０１１８】
好ましくは、運転モード中に、少なくともいくつかのイオンは、イオントラップ又は衝突若しくは反応装置の１又は複数の上流及び／又は中間及び／又は下流領域に断片化されるように配置される。好ましくは、イオンは、（ｉ）衝突誘導解離（「ＣＩＤ」）；（ｉｉ）表面誘起解離（「ＳＩＤ」）；（ｉｉｉ）電子移動解離；（ｉｖ）電子捕獲解離；（ｖ）電子衝突解離；（ｖｉ）光誘起解離（「ＰＩＤ」）；（ｖｉｉ）レーザー誘起解離；（ｖｉｉｉ）赤外線誘起解離；（ｉｘ）紫外線誘起解離；（ｘ）熱又は温度解離；（ｘｉ）電場誘起解離；（ｘｉｉ）磁場誘起解離；（ｘｉｉｉ）酵素消化又は酵素分解解離；（ｘｉｖ）イオン−イオン反応解離；（ｘｖ）イオン−分子反応解離；（ｘｖｉ）イオン−原子反応解離；（ｘｖｉｉ）イオン−準安定性イオン反応解離；（ｘｖｉｉｉ）イオン−準安定性分子反応解離；（ｘｉｘ）イオン−準安定性原子反応解離；及び（ｘｘ）電子イオン化解離（「ＥＩＤ」）によって断片化されるように配置される。
【０１１９】
実施形態では、イオントラップ又は衝突若しくは反応装置は、運転モード中、（ｉ）１００ｍｂａｒ超；（ｉｉ）１０ｍｂａｒ超；（ｉｉｉ）１ｍｂａｒ超；（ｉｖ）０．１ｍｂａｒ超；（ｖ）１０〜２ｍｂａｒ超；（ｖｉ）１０〜３ｍｂａｒ超；（ｖｉｉ）１０〜４ｍｂａｒ超；（ｖｉｉｉ）１０〜５ｍｂａｒ超；（ｉｘ）１０〜６ｍｂａｒ超；（ｘ）１００ｍｂａｒ未満；（ｘｉ）１０ｍｂａｒ未満；（ｘｉｉ）１ｍｂａｒ未満；（ｘｉｉｉ）０．１ｍｂａｒ未満；（ｘｉｖ）１０〜２ｍｂａｒ未満；（ｘｖ）１０〜３ｍｂａｒ未満；（ｘｖｉ）１０〜４ｍｂａｒ未満；（ｘｖｉｉ）１０〜５ｍｂａｒ未満；（ｘｖｉｉｉ）１０〜６ｍｂａｒ未満；（ｘｉｘ）１０〜１００ｍｂａｒ；（ｘｘ）１〜１０ｍｂａｒ；（ｘｘｉ）０．１〜１ｍｂａｒ；（ｘｘｉｉ）１０〜２及び１０〜１ｍｂａｒとその間；（ｘｘｉｉｉ）１０〜３及び１０〜２ｍｂａｒとその間；（ｘｘｉｖ）１０〜４及び１０〜３ｍｂａｒとその間；及び（ｘｘｖ）１０〜５及び１０〜４ｍｂａｒとその間、からなる群より選択される圧力で維持される。
【０１２０】
好ましくは、運転モード中、少なくともいくつかのイオンは、イオントラップ又は衝突若しくは反応装置の長さ部の少なくとも一部に沿って通過する際に、電場強度によってイオン移動度又はイオン移動度の変化速度に時間的に従って分離されるようになされる。
【０１２１】
一好適実施形態では、好ましくは、イオントラップ又は衝突若しくは反応装置は、イオンをイオントラップ又は衝突若しくは反応装置の中にパルス化し、かつ／又は実質的に連続的なイオンビームをパルス化されたイオンビームに変換する装置又はイオンゲートをさらに含む。
【０１２２】
一実施形態では、第１の電極セット及び／又は第２の電極セットは、複数の軸方向区分又は少なくとも２、３、４、５、６、７、８、９、１０、１１、１２、１３、１４、１５、１６、１７、１８、１９、又は２０の軸方向区分に、軸方向区分化される。好ましくは、運転モード中、複数の軸方向区分の少なくともいくつかは、異なる直流電位で維持され、かつ／又は、少なくともいくつかのイオンが１若しくは複数の軸方向直流電位井戸にトラップされるように１若しくは複数の過渡直流電位若しくは電圧又は１若しくは複数の過渡直流電位若しくは電圧波形が複数の軸方向区分の少なくともいくつかに印加され、かつ／又は、少なくともいくつかのイオンが第１の軸方向及び／又は第２の反対の軸方向に付勢される。
【０１２３】
運転モード中、
（ｉ）イオンは、イオントラップ又は衝突若しくは反応装置から軸方向に実質的に断熱的に排出され、かつ／又は、軸方向エネルギーをイオンに実質的に付与させることなく排出され、かつ／又は、
（ｉｉ）イオンは、イオントラップ又は衝突若しくは反応装置から軸方向に、（ｉ）１ｅＶ未満；（ｉｉ）１〜２ｅＶ；（ｉｉｉ）２〜３ｅＶ；（ｉｖ）３〜４ｅＶ；（ｖ）４〜５ｅＶ；（ｖｉ）５〜６ｅＶ；（ｖｉｉ）６〜７ｅＶ；（ｖｉｉｉ）７〜８ｅＶ；（ｉｘ）８〜９ｅＶ；（ｘ）９〜１０ｅＶ；（ｘｉ）１０〜１５ｅＶ；（ｘｉｉ）１５〜２０ｅＶ；（ｘｉｉｉ）２０〜２５ｅＶ；（ｘｉｖ）２５〜３０ｅＶ；（ｘｖ）３０〜３５ｅＶ；（ｘｖｉ）３５〜４０ｅＶ；及び（ｘｖｉｉ）４０〜４５ｅＶからなる群より選択される範囲の平均軸方向運動エネルギーで軸方向に排出され、かつ／又は、
（ｉｉｉ）イオンは、イオントラップ又は衝突若しくは反応装置から軸方向に、軸方向に排出され、軸方向運動エネルギーの標準偏差は、（ｉ）１ｅＶ未満；（ｉｉ）１〜２ｅＶ；（ｉｉｉ）２〜３ｅＶ；（ｉｖ）３〜４ｅＶ；（ｖ）４〜５ｅＶ；（ｖｉ）５〜６ｅＶ；（ｖｉｉ）６〜７ｅＶ；（ｖｉｉｉ）７〜８ｅＶ；（ｉｘ）８〜９ｅＶ；（ｘ）９〜１０ｅＶ；（ｘｉ）１０〜１５ｅＶ；（ｘｉｉ）１５〜２０ｅＶ；（ｘｉｉｉ）２０〜２５ｅＶ；（ｘｉｖ）２５〜３０ｅＶ；（ｘｖ）３０〜３５ｅＶ；（ｘｖｉ）３５〜４０ｅＶ；（ｘｖｉｉ）４０〜４５ｅＶ；及び（ｘｖｉｉｉ）４５〜５０ｅＶからなる群より選択される範囲にある。
【０１２４】
一好適実施形態では、運転モード中、異なる質量電荷比を有する複数の異なる種のイオンは、実質的に同じ軸方向及び／又は実質的に異なる軸方向に、イオントラップ又は衝突若しくは反応装置から同時に軸方向に排出される。
【０１２５】
運転モード中、追加的な交流電圧が、第１の複数の電極の少なくともいくつか及び／又は第２の複数の電極の少なくともいくつかに印加されてもよい。好ましくは、１又は複数の直流電圧は、少なくともいくつかの正イオン及び負イオンが、イオントラップ又は衝突若しくは反応装置内で同時に制限されるよう、及び／又はイオントラップ又は衝突若しくは反応装置から軸方向に排出されるよう、追加的交流電圧で変調される。好ましくは、追加的交流電圧は、（ｉ）１Ｖ未満ピークトゥピーク；（ｉｉ）１〜２Ｖピークトゥピーク；（ｉｉｉ）２〜３Ｖピークトゥピーク；（ｉｖ）３〜４Ｖピークトゥピーク；（ｖ）４〜５Ｖピークトゥピーク；（ｖｉ）５〜６Ｖピークトゥピーク；（ｖｉｉ）６〜７Ｖピークトゥピーク；（ｖｉｉｉ）７〜８Ｖピークトゥピーク；（ｉｘ）８〜９Ｖピークトゥピーク；（ｘ）９〜１０Ｖピークトゥピーク；及び（ｘｉ）１０Ｖ超ピークトゥピークからなる群より選択される振幅を有する。好ましくは、追加的交流電圧は、（ｉ）１０ｋＨｚ未満；（ｉｉ）１０〜２０ｋＨｚ；（ｉｉｉ）２０〜３０ｋＨｚ；（ｉｖ）３０〜４０ｋＨｚ；（ｖ）４０〜５０ｋＨｚ；（ｖｉ）５０〜６０ｋＨｚ；（ｖｉｉ）６０〜７０ｋＨｚ；（ｖｉｉｉ）７０〜８０ｋＨｚ；（ｉｘ）８０〜９０ｋＨｚ；（ｘ）９０〜１００ｋＨｚ；（ｘｉ）１００〜１１０ｋＨｚ；（ｘｉｉ）１１０〜１２０ｋＨｚ；（ｘｉｉｉ）１２０〜１３０ｋＨｚ；（ｘｉｖ）１３０〜１４０ｋＨｚ；（ｘｖ）１４０〜１５０ｋＨｚ；（ｘｖｉ）１５０〜１６０ｋＨｚ；（ｘｖｉｉ）１６０〜１７０ｋＨｚ；（ｘｖｉｉｉ）１７０〜１８０ｋＨｚ；（ｘｉｘ）１８０〜１９０ｋＨｚ；（ｘｘ）１９０〜２００ｋＨｚ；ａｎｄ（ｘｘｉ）２００〜２５０ｋＨｚ；（ｘｘｉｉ）２５０〜３００ｋＨｚ；（ｘｘｉｉｉ）３００〜３５０ｋＨｚ；（ｘｘｉｖ）３５０〜４００ｋＨｚ；（ｘｘｖ）４００〜４５０ｋＨｚ；（ｘｘｖｉ）４５０〜５００ｋＨｚ；（ｘｘｖｉｉ）５００〜６００ｋＨｚ；（ｘｘｖｉｉｉ）６００〜７００ｋＨｚ；（ｘｘｉｘ）７００〜８００ｋＨｚ；（ｘｘｘ）８００〜９００ｋＨｚ；（ｘｘｘｉ）９００〜１０００ｋＨｚ；及び（ｘｘｘｉｉ）１ＭＨｚ超からなる群より選択される周波数を有する。
【０１２６】
好ましくは、イオントラップ又は衝突若しくは反応装置はまた、少なくとも１つの非トラッピング運転モードで運転されるように配置され構成され、
（ｉ）直流及び／又は交流又はＲＦ電圧が第１の電極セット及び／又は第２の電極セットに印加され、そうして、イオントラップ又は衝突若しくは反応装置がＲＦのみのイオンガイド又はイオンガイドとして働き、そこでイオンはイオンガイド内で軸方向に制限されず、かつ／又は、
（ｉｉ）直流及び／又は交流又はＲＦ電圧が第１の電極セット及び／又は第２の電極セットに印加され、そうして、イオントラップ又は衝突若しくは反応装置がいくつかのイオンを質量選択的に伝送するとともに同時に他のイオンを実質的に減衰させるように、質量フィルター又は質量分析器として働く。
【０１２７】
比較的好適でない実施形態では、運転モード中、同時に軸方向に排出されることが望ましくないイオンは径方向に励起されてもよく、かつ／又は、同時に軸方向に排出されることが望ましいイオンはそれ以上径方向に励起されなくなるか又はより低度に径方向に励起される。
【０１２８】
イオントラップ又は衝突若しくは反応装置から同時に軸方向に排出されることが望ましいイオンは、好ましくは、イオントラップ又は衝突若しくは反応装置から質量選択的に排出され、かつ／又は、イオントラップ又は衝突若しくは反応装置から同時に軸方向に排出されることが望ましくないイオンは、好ましくは、イオントラップ又は衝突若しくは反応装置から質量選択的に排出されない。
【０１２９】
好適実施形態では、好ましくは、第１の電極セットは、第１の多極ロッドセット（例えば、４極ロッドセット）を含み、好ましくは、第２の電極セットは、第２の多極ロッドセット（例えば、４極ロッドセット）を含む。好ましくは、交流又はＲＦ電圧の実質的に同じ振幅及び／又は周波数及び／又は相は、第１の多極ロッドセット及び／又は第２の多極ロッドセット内の径方向にイオンを制限するために、第１の多極ロッドセット及び第２の多極ロッドセットに適用される。
【０１３０】
本発明の一態様では、
イオントラップ又は衝突若しくは反応装置内の軸方向に第１の径方向変位を有するイオンを制限するよう作用する第１の直流電気フィールド、及び第２の径方向変位を有するイオンをイオントラップ又は衝突若しくは反応装置から抽出するか又は軸方向に加速させるよう作用する第２の直流電気フィールドを発生させるように配置され構成された第３の装置と、
イオンがイオントラップ又は衝突若しくは反応装置から軸方向に排出されるとともに他のイオンがイオントラップ又は衝突若しくは反応装置内に軸方向に制限されたままであるように、少なくともいくつかのイオンの径方向変位を質量選択的に変動させるか、増加させるか、減少させるか、又は走査させるように配置され構成された第４の装置と、
を含むイオントラップ又は衝突若しくは反応装置が提供される。
【０１３１】
特に好適な一実施形態では、イオントラップ又は衝突若しくは反応装置は、
好ましくは第１の４極ロッドセットを含む第１の複数の電極を含む第１の電極セットと、
好ましくは第２の４極ロッドセットを含む第２の複数の電極を含む、第１の電極セットの下流に配置される第２の電極セットと、
第２の４極ロッドセットに２つの直流電圧を印加するように配置され構成された第１の装置と、
イオントラップ又は衝突若しくは反応装置内の少なくともいくつかのイオンの径方向変位を変動させるか、増加させるか、減少させるか、又は変更させるように配置され構成された第２の装置と、を含み、
好ましくは、第２の装置は、第１の電極セット内の少なくともいくつかのイオンの径方向運動を質量又は質量電荷比選択的方法で少なくとも１つの径方向に増加させるよう、第１の電極セット内の径方向に少なくともいくつかのイオンを質量又は質量電荷比選択的方法で励起させるために、１又は複数の励起、交流、又は不安定電圧の第１の相及び／又は第２の逆位相を、第１の複数の電極の少なくともいくつかに印加するように配置され構成され、
好ましくは、第１の装置は、半径依存性軸方向直流電位バリアを発生させるよう、２つの直流電圧を第２の４極ロッドセットに印加するように配置され構成され、
（ａ）第１の範囲にある径方向変位を有するイオンは、イオントラップの少なくとも１つの軸方向にイオンの少なくともいくつかを制限するように作用する直流トラッピングフィールド、直流電位バリア、又はバリアフィールドを経験し、
（ｂ）第２の異なる範囲にある径方向変位を有するイオンは、イオンの少なくともいくつかを少なくとも１つの軸方向へ、かつ／又はイオントラップ若しくは衝突若しくは反応装置から外へ、抽出するか加速させるよう作用する直流抽出フィールド、加速直流電位差、又は抽出フィールドを経験するようにしてなる。
【０１３２】
好適実施形態では、好ましくは、イオンは、軸方向にイオントラップ又は衝突若しくは反応装置から軸方向に排出され、軸方向運動エネルギーの標準偏差は、好ましくは、（ｉ）１ｅＶ未満；（ｉｉ）１〜２ｅＶ；及び（ｉｉｉ）２〜３ｅＶからなる群より選択される範囲にある。
【０１３３】
一実施形態では、質量分析器は、
（ａ）（ｉ）エレクトロスプレーイオン化（「ＥＳＩ」）イオン源；（ｉｉ）大気圧光イオン化（「ＡＰＰＩ」）イオン源；（ｉｉｉ）大気圧化学イオン化（「ＡＰＣＩ」）イオン源；（ｉｖ）マトリックス支援レーザー脱離イオン化（「ＭＡＬＤＩ」）イオン源；（ｖ）レーザー脱離イオン化（「ＬＤＩ」）イオン源；（ｖｉ）大気圧イオン化（「ＡＰＩ」）イオン源；（ｖｉｉ）シリコン上脱離イオン化（「ＤＩＯＳ」）イオン源；（ｖｉｉｉ）電子衝撃（「ＥＩ」）イオン源；（ｉｘ）化学イオン化（「ＣＩ」）イオン源；（ｘ）電界イオン化（「ＦＩ」）イオン源；（ｘｉ）電界脱離（「ＦＤ」）イオン源；（ｘｉｉ）誘導結合プラズマ（「ＩＣＰ」）イオン源；（ｘｉｉｉ）高速原子衝撃（「ＦＡＢ」）イオン源；（ｘｉｖ）液体二次イオン質量分析（「ＬＳＩＭＳ」）イオン源；（ｘｖ）脱離エレクトロスプレーイオン化（「ＤＥＳＩ」）イオン源；（ｘｖｉ）ニッケル６３放射性イオン源；（ｘｖｉｉ）大気圧マトリックス支援レーザー脱離イオン化イオン源；（ｘｖｉｉｉ）熱スプレーイオン源；（ｘｉｘ）大気サンプリンググロー放電イオン化（「ＡＳＧＤＩ」）イオン源；（ｘｘ）グロー放電（「ＧＤ」）イオン源；（ｘｘｉ）衝撃子イオン源；（ｘｘｉｉ）即時直接分析（「ＤＡＲＴ」）イオン源；（ｘｘｉｉｉ）レーザースプレーイオン化（「ＬＳＩ」）イオン源；（ｘｘｉｖ）ソニックスプレーイオン化（「ＳＳＩ」）イオン源；（ｘｘｖ）マトリックス支援入口イオン化（「ＭＡＩＩ」）イオン源；及び（ｘｘｖｉ）溶媒支援入口イオン化（「ＳＡＩＩ」）イオン源；からなる群より選択されるイオン源；及び／又は、
（ｂ）１若しくは複数の連続的又はパルス化イオン源；及び／又は、
（ｃ）１若しくは複数のイオンガイド；及び／又は、
（ｄ）１若しくは複数のイオン移動度分離装置及び／又は１若しくは複数の電界非対称性イオン移動度分光装置；及び／又は、
（ｅ）１若しくは複数のイオントラップ又は１若しくは複数のイオントラッピング領域；及び／又は、
（ｆ）（ｉ）衝突誘導解離（「ＣＩＤ」）断片化装置；（ｉｉ）表面誘起解離（「ＳＩＤ」）断片化装置；（ｉｉｉ）電子移動解離（「ＥＴＤ」）断片化装置；（ｉｖ）電子捕獲解離（「ＥＣＤ」）断片化装置；（ｖ）電子衝突解離断片化装置；（ｖｉ）光誘起解離（「ＰＩＤ」）断片化装置；（ｖｉｉ）レーザー誘起解離断片化装置；（ｖｉｉｉ）赤外線誘起解離装置；（ｉｘ）紫外線誘起解離装置；（ｘ）ノズル−スキマーインターフェース断片化装置；（ｘｉ）インソース断片化装置；（ｘｉｉ）インソース衝突誘導解離断片化装置；（ｘｉｉｉ）熱又は温度源断片化装置；（ｘｉｖ）電気フィールド誘起断片化装置；（ｘｖ）磁場誘起断片化装置；（ｘｖｉ）酵素消化又は酵素分解断片化装置；（ｘｖｉｉ）イオン−イオン反応断片化装置；（ｘｖｉｉｉ）イオン−分子反応断片化装置；（ｘｉｘ）イオン−原子反応断片化装置；（ｘｘ）イオン−準安定性イオン反応断片化装置；（ｘｘｉ）イオン−準安定性分子反応断片化装置；（ｘｘｉｉ）イオン−準安定性原子反応断片化装置；（ｘｘｉｉｉ）イオンを反応させて付加イオン又は生成物イオンを形成するためのイオン−イオン反応装置；（ｘｘｉｖ）イオンを反応させて付加イオン又は生成物イオンを形成するためのイオン−分子反応装置；（ｘｘｖ）イオンを反応させて付加イオン又は生成物イオンを形成するためのイオン−原子反応装置；（ｘｘｖｉ）イオンを反応させて付加イオン又は生成物イオンを形成するためのイオン−準安定性イオン反応装置；（ｘｘｖｉｉ）イオンを反応させて付加イオン又は生成物イオンを形成するためのイオン−準安定性分子反応装置；（ｘｘｖｉｉｉ）イオンを反応させて付加イオン又は生成物イオンを形成するためのイオン−準安定性原子反応装置；及び（ｘｘｉｘ）電子イオン化解離（「ＥＩＤ」）断片化装置からなる群より選択される１若しくは複数の衝突、断片化又は反応細胞；及び／又は、
（ｇ）（ｉ）４極質量分析器；（ｉｉ）２Ｄ又は線形４極質量分析器；（ｉｉｉ）ポール（Ｐａｕｌ）又は３Ｄ４極質量分析器；（ｉｖ）ペニングトラップ質量分析器；（ｖ）イオントラップ質量分析器；（ｖｉ）磁場形質量分析器；（ｖｉｉ）イオンサイクロトロン共鳴（「ＩＣＲ」）質量分析器；（ｖｉｉｉ）フーリエ変換イオンサイクロトロン共鳴（「ＦＴＩＣＲ」）質量分析器；（ｉｘ）クアドロ（ｑｕａｄｒｏ−）対数電位分布を有する静電フィールドを生成させるように配置された静電質量分析器；（ｘ）フーリエ変換静電質量分析器；（ｘｉ）フーリエ変換質量分析器；（ｘｉｉ）飛行時間質量分析器；（ｘｉｉｉ）直交する加速飛行時間質量分析器；及び（ｘｉｖ）線形加速飛行時間質量分析器からなる群より選択される質量分析器；及び／又は
（ｈ）１若しくは複数のエネルギー分析器又は静電エネルギー分析器；及び／又は、
（ｉ）１若しくは複数のイオン検出器；及び／又は、
（ｊ）（ｉ）４極質量フィルター；（ｉｉ）２Ｄ又は線形４極イオントラップ；（ｉｉｉ）ポール又は３Ｄ４極イオントラップ；（ｉｖ）ペニングイオントラップ；（ｖ）イオントラップ；（ｖｉ）磁場形質量フィルター；（ｖｉｉ）飛行時間質量フィルター；及び（ｖｉｉｉ）ウィーンフィルターからなる群より選択される１若しくは複数の質量フィルター；及び／又は
（ｋ）イオンをパルス化するための装置又はイオンゲート；及び／又は、
（ｌ）実質的に連続的なイオンビームをパルス化イオンビームへ変換するための装置
をさらに含んでもよい。
【０１３４】
質量分析器は、
（ｉ）クアドロ対数（ｑｕａｄｒｏ−ｌｏｇａｒｉｔｈｍｉｃ）電位分布をもった静電フィールドを形成する外側樽状電極及び同軸の内側紡錘状電極を含むＣ−トラップ及び質量分析器であって、第１の運転モードイオンがＣ−トラップに伝送され、次いで質量分析器の中に注入され、第２の運転モードイオンがＣ−トラップに伝送され、次いで衝突セル又は電子移動解離装置に伝送されてここで少なくともいくつかのイオンが断片イオンへと断片化され、次いで断片イオンはＣ−トラップへ伝送された後に質量分析器の中に注入される、Ｃ−トラップ及び質量分析器；及び／又は、
（ｉｉ）使用中、イオンが通って伝送される開口部をそれぞれ有する複数の電極を含む積層リングイオンガイドであって、電極間の間隔がイオン経路の長さ部に沿って増加し、イオンガイドの上流部分の電極の開口部が第１の直径を有し、イオンガイドの下流部分の電極の開口部が第１の直径よりも小さい第２の直径を有し、交流又はＲＦ電圧の逆位相が、使用中、連続した電極に印加される、積層リングイオンガイド、
をさらに含んでもよい。
【０１３５】
一実施形態では、質量分析器は、交流又はＲＦ電圧を電極に供給するように配置され構成された装置をさらに含む。好ましくは、交流又はＲＦ電圧は、（ｉ）５０Ｖ未満ピークトゥピーク；（ｉｉ）５０〜１００Ｖピークトゥピーク；（ｉｉｉ）１００〜１５０Ｖピークトゥピーク；（ｉｖ）１５０〜２００Ｖピークトゥピーク；（ｖ）２００〜２５０Ｖピークトゥピーク；（ｖｉ）２５０〜３００Ｖピークトゥピーク；（ｖｉｉ）３００〜３５０Ｖピークトゥピーク；（ｖｉｉｉ）３５０〜４００Ｖピークトゥピーク；（ｉｘ）４００〜４５０Ｖピークトゥピーク；（ｘ）４５０〜５００Ｖピークトゥピーク；及び（ｘｉ）５００Ｖ超ピークトゥピークからなる群より選択される振幅を有する。
【０１３６】
好ましくは、交流又はＲＦ電圧は、（ｉ）１００ｋＨｚ未満；（ｉｉ）１００〜２００ｋＨｚ；（ｉｉｉ）２００〜３００ｋＨｚ；（ｉｖ）３００〜４００ｋＨｚ；（ｖ）４００〜５００ｋＨｚ；（ｖｉ）０．５〜１．０ＭＨｚ；（ｖｉｉ）１．０〜１．５ＭＨｚ；（ｖｉｉｉ）１．５〜２．０ＭＨｚ；（ｉｘ）２．０〜２．５ＭＨｚ；（ｘ）２．５〜３．０ＭＨｚ；（ｘｉ）３．０〜３．５ＭＨｚ；（ｘｉｉ）３．５〜４．０ＭＨｚ；（ｘｉｉｉ）４．０〜４．５ＭＨｚ；（ｘｉｖ）４．５〜５．０ＭＨｚ；（ｘｖ）５．０〜５．５ＭＨｚ；（ｘｖｉ）５．５〜６．０ＭＨｚ；（ｘｖｉｉ）６．０〜６．５ＭＨｚ；（ｘｖｉｉｉ）６．５〜７．０ＭＨｚ；（ｘｉｘ）７．０〜７．５ＭＨｚ；（ｘｘ）７．５〜８．０ＭＨｚ；（ｘｘｉ）８．０〜８．５ＭＨｚ；（ｘｘｉｉ）８．５〜９．０ＭＨｚ；（ｘｘｉｉｉ）９．０〜９．５ＭＨｚ；（ｘｘｉｖ）９．５〜１０．０ＭＨｚ；及び（ｘｘｖ）１０．０ＭＨｚ超からなる群より選択される周波数を有する。
【０１３７】
質量分析器はまた、イオン源の上流にクロマトグラフィー又は他の分離装置を含んでもよい。実施形態では、クロマトグラフィー分離装置は、液体クロマトグラフィー又はガスクロマトグラフィーを含む。他の実施形態では、分離装置は、（ｉ）キャピラリー電気泳動（「ＣＥ」）分離装置；（ｉｉ）キャピラリー電気クロマトグラフィー（「ＣＥＣ」）分離装置；（ｉｉｉ）実質的に硬質なセラミック系多層マイクロ流体基板（「セラミックタイル」）分離装置；又は（ｉｖ）超臨界流体クロマトグラフィークロマトグラフィー分離装置を含んでもよい。
【０１３８】
好ましくは、イオンガイドは、（ｉ）０．０００１ｍｂａｒ未満；（ｉｉ）０．０００１〜０．００１ｍｂａｒ；（ｉｉｉ）０．００１〜０．０１ｍｂａｒ；（ｉｖ）０．０１〜０．１ｍｂａｒ；（ｖ）０．１〜１ｍｂａｒ；（ｖｉ）１〜１０ｍｂａｒ；（ｖｉｉ）１０〜１００ｍｂａｒ；（ｖｉｉｉ）１００〜１０００ｍｂａｒ；及び（ｉｘ）１０００ｍｂａｒ超からなる群より選択される圧力に維持される。
【図面の簡単な説明】
【０１３９】
本発明の種々の実施形態を、単なる例示として、以下の図を参照して説明する。
【図１】放射状方向に依存した方法でイオンを閉じ込めるように配置されたトラップ電極と共に四重極ロッドセットを含む、好ましい実施形態による衝突または反応装置を示す。
【図２Ａ】イオン−イオン反応が四重極イオンガイド内で行われる、本発明の好ましい実施形態を示す。
【図２Ｂ】イオンガイド内で放射状に励起されている発生した断片イオンを示す。
【図２Ｃ】イオンガイドから放射状に排出されている断片イオンを示している。
【図３Ａ】検体と試薬イオンの間の相互作用時間を徐々に増加させるように、軸方向に分割されたイオンガイドに印加する進行波の振幅を徐々に減少させる効果を示しまた、進行波の強度を種々に変化させた時の全イオン電流を示し、更に進行波の振幅を種々に変化させた時の４５０の質量電荷比を持つ前駆体イオンの強度も示している。
【図３Ｂ】進行波の強度を種々に変化させた時のｃ９とｃ２ＥＴＤ断片イオンの強度を示す。
【図３Ｃ】イオン−イオン相互作用時間が不十分である、進行波の強度が０．３Ｖである時またイオン−イオン相互作用時間が最善である、進行波の強度が０．２Ｖである時に得られた質量スペクトルを表す。
【図３Ｄ】進行波の強度を減少させ結果として、イオン−イオン相互作用時間が増加して生産物イオンの中和化を引き起こした時に得られた質量スペクトルを示す。
【発明を実施するための形態】
【０１４０】
本発明の好ましい実施形態を、図１を参照して説明する。
【０１４１】
図１は、４つの四重極ロッド電極１を含む四重極ロッドセットを示している。各四重極ロッド電極１は好ましくは放射方向に依存するトラップ電極２を備えている。各トラップ電極２は、好ましくはロッドセットイオンガイドの出口領域に配置されている。トラップ電極２は、好ましくはイオンを放射方向に依存する方法で四重極ロッドセット内に閉じ込めるように配置されている。四重極ロッドセットの中心軸に沿ったイオンは好ましくは閉じ込められるが、より大きな半径を持つイオンは好ましくはトラップ電極２を自由に通過することができる。
【０１４２】
親または前駆体イオンは、好ましくは四重極イオンガイドへ導入され、放射方向に依存するトラッピング電位が、好ましくはイオンガイドの出口領域に印加される。広帯域励起３が、好ましくは主四重極ロッド１に印加される。広帯域励起３は、好ましくは、その周波数スペクトルに欠落する特定の周波数成分４を有する。欠落する周波数成分４は、好ましくは、親または前駆体イオンの永年周波数に対応する。
【０１４３】
イオンは、上流質量から好ましい装置に連続して入り比フィルター（図示せず）を充電する。 あるいは、イオンは脈動して四重極ロッドセットイオンガイドに入る。
【０１４４】
ある実施形態によれば、イオンガイドは試薬分子を含むように配置されそれによって親イオンはイオン−分子反応をおこす。あるいは、試薬イオンがイオンガイドに導入され、追加の周波数ノッチが四重極ロッド電極に印加される励起周波数中に提供され、それによってイオン−イオン反応を可能にする。追加の周波数ノッチは、好ましくは試薬イオンの質量電荷比に一致し、それによって試薬イオンはイオンガイドから排出されない。
【０１４５】
図２Ａは、イオントラップ内で電子移動解離（ＥＴＤ）などのイオン−イオン反応が好ましく行われる実施形態の概略を示す。親または前駆体イオンＡは、好ましくはイオンガイド内に導入され、好ましくは四重極イオンガイドの中心線上に捕捉される。逆の極性を持つ試薬イオンＢは、好ましくはイオンガイド内に導入され、好ましくは親または前駆体イオンＡと相互作用を引き起こす。
【０１４６】
親または前駆体イオンＡが一旦試薬イオンＢと反応し、その後前駆体または親イオンＡは断片化しそれによって、図２Ｂに示すように断片イオンＣとＤを生成する。他の実施形態によると、前駆体または親イオンは付加物イオンを形成してもよく、すなわち前駆体または親イオンは実際には断片化しないが、その質量電荷比が変化する。
【０１４７】
図２Ｂに示されているように、断片（あるいは付加物）イオンＣとＤは、好ましくは電極に印加される広帯域励起周波数３中に在る周波数ノッチと一致しない永年周波数を持っているので、断片イオンＣとＤは、好ましくは放射状に励起される。
【０１４８】
断片（あるいは付加物）イオンＣとＤが一旦適切な半径を得ると、その後、図２Ｃに示されているように、断片あるいは付加物イオンＣとＤは、好ましくは効率的に除去され軸方向にイオントラップから排出される。
【０１４９】
好ましいイオンガイド又はイオントラップから好ましく排出された断片（あるいは付加物）イオンは更なる反応又は相互作用をうけるように配置されていてもよい。
【０１５０】
イオンガイドまたはイオントラップは、例えば、解像度や感度に有害な影響をおこさない従来のイオンガイドまたはイオントラップなどのその他の動作モードで操作してもよい。
【０１５１】
ある実施形態に依れば、周波数ノッチを持つ広帯域励起をイオンガイドに印加する気相水素−重水素交換（ＨＤｘ）実験を行うことができる。周波数ノッチ又は欠落した周波数は、好ましくは被検体物イオンの質量電荷比に対応する。事前に定められた回数の交換が起こるまで交換反応が強制的に続けられるように、追加周波数ノッチが含まれていてもよい。これにより、効率的かつ制御された交換部位及び反応の経路の探査が可能になり、例えば、バイオ医薬品の品質管理への応用等、特定の適用性がある。
【０１５２】
交換されたイオンはその後好ましくは、例えば、それ以外では得られない交換経路の情報や立体構造をもたらす電子移動解離（ＥＴＤ）により断片化されてもよい。各整数番号の交換部位（ｘ＝１、ｘ＝２、・・・）に対する交換部位の分布の統計的研究／比較は立体構造における小さな変化に対して感度の良い指標となる。
【０１５３】
あるいは、単周波数又は小帯域周波数を印加して標的の水素−重水素交換（ＨＤｘ）種の排出を引き起こしてもよい。
【０１５４】
同様に、オゾンと親または前駆体イオンにおけるＣ＝Ｃ二重結合との反応によって断片化を起こすイオン−分子反応であるオゾン分解を実行してもよい。オゾンは二重結合と反応し急速に分解する一次オゾン化物を形成する。このことは、Ｃ＝Ｃ二重結合の部位を開裂することによって、二重結合の位置のみ異なる同位体が多くの場合存在するリピドミクスにおいて特に応用できる。これにより、
脂質の同定は改善することができる。オゾン分解の反応率は、分子とその立体構造に強く依存し異なる。本発明は、優れて、親および前駆体イオンの反応時間を反応そのものによって設定することができる。
【０１５５】
電子移動解離実験において、一価の荷電生成物イオンが迅速に中和されるので、イオン−イオン反応が不規則に続く点で不利である。本発明の好ましい実施形態において、電子移動解離実験は、試薬イオンの質量電荷比および親または前駆体イオンの質量電荷比に対応する欠落した周波数又はノッチを持つ広帯域励起３を装置に印加する。親または前駆体イオンが断片又は生成物イオンを形成するために断片化するや否や、得られた断片又は生成物イオンが続いてイオンガイド又はイオントラップから好ましく自動排出される。このことが、その後に中和化を引き起こす複数の電子移動の可能性を減少させ、特に優れている点である。
【０１５６】
更に様々な実施形態も考案されている。典型的な電子移動解離実験において、質量電荷比及び荷電状態（ｎ）は既知である。結果として、実施形態よれば、周波数ノッチは、電荷（ｎ−１）、（ｎ−２）…等を帯びた荷電が減少した生成品に対応するようにプログラムしてもよい。この実施形態は、電荷が減少した生成品が排出されるのを防止し、その電荷が減少した生成品を更なる電子移動解離のために利用できる点で特に優れている。
【０１５７】
イオンの質量電荷比が変化する時に、放射状励起だけが好ましく効果がある。実施形態によれば、追加のエネルギーを、結合／相互作用の時点で反応物質に入力することが出来る。このエネルギーは、反応の時点で、イオン−分子に排他的に与えることができる。残りの種は好ましくは影響を受けない。そのような実施形態は、反応の効率及び／若しくは断片化を制御する点で好ましく有用である。
【０１５８】
例えば、電子移動解離において、もしこのエネルギーが反応に有益でないなら、ノッチは、前駆体と試薬の組み合わせの質量電荷比で印加してもよい。加えて、試薬イオンとの反応によって形成された生成物イオンはいずれも生成物イオンが形成されるや否や排出され、それによって被検体イオンと反応することができないので、試薬イオンの純度は保つことができる。
【０１５９】
他の動作モードにおいて、反応生成物は、多重又は目標の反応が起こった場合にのみ除去される。
【０１６０】
他の実施形態によれば、好ましい装置は、電荷状態をはぎ取るための陽子移動反応（ＰＴＲ）としても利用できる。
【０１６１】
本発明は、上記電子移動解離で述べたように、イオンの電荷状態がプロトン付加によって（または、負イオン脱プロトン化において）増加される過帯電反応を容易にするために用いることもできる。
【０１６２】
本発明は、例えば、被検体イオンが試薬を含む気相発色団と反応し、２つ以上のノッチが広帯域励起に存在するより複雑なシステムに応用することもできる。周波数ノッチは被験体イオンの質量電荷比と、被験体と発色団の組み合わせの質量電荷比と、また、発色団試薬がイオンである場合、発色団試薬イオンの質量電荷比で提供される。イオンと発色団の組み合わせは、その後適切な波長の放射を用いて光解離により断片化してもよい。
【０１６３】
本発明から利を得るイオン―イオン反応のその他の例としては、含アルデヒド試薬陰イオン（すなわち、一価の脱陽子化された４−フォルミル−１，３−ベンゼンジスルホン酸）と多重陽子化ペプチドイオン中の一級アミン基とイオン―イオン反応の結果によるシッフ塩基形成がある。
【０１６４】
近年、ポリペプチドイオン中のシッフ塩基形成は電荷の反転に伴ってなされている（HassellKM, Stutzman JR, McLuckey SA Analytical Chemistry: 2010, 82(5):1594-1597）。例えば、一価の陽子化されたペプチドは二価の脱陽子化された４−フォルミル−１，３−ベンゼンジスルホン酸と反応し修飾された陰イオンを得る。衝突誘起解離（ＣＩＤ）と併せて、これらの複合体は、一価の陽子化されたあるいは一価の脱陽子化されたペプチドより、より情報価値のある構造的情報を生み出す。
【０１６５】
このイオン―イオン反応を用いたシッフ塩基形成の観察により、気相ペプチドイオンの特定の共有結合修飾が示される。
【０１６６】
イオン―イオン反応は、初めにポリペプチドイオンへの試薬イオンの付着とそれに続く衝突誘起解離に誘引された活性化を含んでいる。これが、シッフ塩基が形成される時の水分損失の発生の原因である。しかし、水分損失はポリペプチドイオンにとって、通常の断片化経路である。その結果、イオン―イオン複合体からの水分損失に続いて形成される種の個体数は脱水によって形成される他の主と共にシッフ塩基生成物を含む種の混合物を含んでいる。
【０１６７】
加えて、タンパク質とペプチドは、定量化、構造特性解析やときにはイオン化を容易にするため、溶液中で往々にして修飾される。様々な試薬が、ある種のアミノ酸の溶液中での選択的共結合誘導体化に用いられてきており、例えば、リジン残基のＮ−末端あるいはε−ＮＨ２基といった、ペプチドやタンパク質中の第一級アミン基は、通常Ｎ−ヒドロキシスクシンイミド（ＮＨＳ）誘導体との反応を用いてアセチル化又は修飾される。ＮＨＳエステルのカルボニル炭素は、第一級アミンからの親核攻撃を受けその結果ＮＨＳ（または、スルフォ―Ｎ−ヒドロキシスクシンイミド）の損失とアミド結合の形成をもたらす。現在、これらの試薬は、イオン−分子あるいはイオン―イオン反応用には気相では用いられていない。
【０１６８】
図３Ａ〜３Ｄは、実験の結果を示しているが、この実験では、複数の環状電極を持つイオンガイドに印加される進行波又はＴ−波のパルス高さが０．５Ｖから０Ｖへ降下され、それが被検体イオンと試薬イオンの間の反応／相互作用時間を増加させる効果を持っていた。被検体イオンは４５０の質量電荷比をもつ物質Ｐの三価イオンを含み、試薬イオンは１，４−ジシアノベンゼンを含んでいた。
【０１６９】
図３Ａのトッププロットは、イオン―イオン相互作用時間を増大させるために進行波振幅が徐々に低減された実験のための全イオン電流（ＴＩＣ）を示している。反応時間が増加するにつれ、全イオン電流が低下し、これにより形成されつつある生成物イオンが中和されていることを明らかに示されている。
【０１７０】
図３Ａのボトムプロットは、進行波の強度が低減され相互作用時間が増大する時の、４５０の質量電荷比をもつ物質Ｐの三価イオンの強度を示している。
【０１７１】
図３Ｂのトッププロットは、進行波の振幅が変化する時の、ｃ９ＥＴＤ断片化イオンの強度を示している。進行波振幅が０．２Ｖに設定された時に得られた最小の中和と共に最善の断片化。
【０１７２】
図３Ｂのボトムプロットは、進行波の振幅が変化する時の、ｃ２ＥＴＤ断片化イオンの強度を示している。反応時間が長すぎる場合、有意な中和の形跡がある。
【０１７３】
図３Ｃのトッププロットは、進行波振幅が０．３Ｖに保たれている時の、前駆体イオンが効率的に断片化するためには不十分な反応時間しか持っていないことを示す結果と共に、得られた質量スペクトルを示している。
【０１７４】
図３Ｃのボトムプロットは、進行波振幅が０．２Ｖに保たれている時に得られた質量スペクトルを示し、また最小限の中和化と共に最善の断片化を示している。
【０１７５】
図３Ｄは、進行波振幅が更に０．０５Ｖにまで低減された時に得られた質量スペクトルを示し、反応時間が長すぎる場合で有意な中和の形跡がある状況に対応している。
【０１７６】
本発明は、好ましい実施形態を参照に述べられてきたが、添付の特許請求の範囲に記載された本発明の範囲から逸脱することなく形態及び詳細について様々な変更がなされることは当業者によって理解されるであろう。
【図１】
2016507151.tif 000004
【図２Ａ】
2016507151.tif 000005
【図２Ｂ】
2016507151.tif 000006
【図２Ｃ】
2016507151.tif 000007
【図３Ａ】
2016507151.tif 000008
【図３Ｂ】
2016507151.tif 000009
【図３Ｃ】
2016507151.tif 000010
【図３Ｄ】
2016507151.tif 000011
【国際調査報告】
2016507151.tif 000012
2016507151.tif 000013
2016507151.tif 000014